(57)【特許請求の範囲】
【請求項１】
式（Ｉ）：
【化１】
0006890133.tif 000010
式中、Ｒ’はＨ、ＣＨ3、ＣＨ2ＣＨ3又はそれらの組合せを含み；ｘ、ｙ及びｚはそれぞ
れ２から１００までの範囲にわたり、かつｘ、ｙ及びｚの合計は６から３００までの範囲にあり；並びにＲはＣ9不飽和アルキル基である、
で表されるエストリドを含む組成物。
【請求項２】
Ｒ’がＨである、請求項１に記載の組成物。
【請求項３】
ｘ、ｙ及びｚの合計が１０から２５までの範囲にあるか、又はエストリドが、ヒマシ油及びアルコキシル化グリセリンの反応生成物である、請求項１又は２に記載の組成物。
【請求項４】
塩基触媒、ヒマシ油及びアルコキシル化グリセリンを組合せて反応体混合物を生成するステップであって、アルコキシル化グリセリンは式（ＩＩ）：
【化２】
0006890133.tif 000011
式中、Ｒ’はＨ、ＣＨ3、ＣＨ2ＣＨ3又はそれらの組合せを含み；並びにｘ、ｙ及びｚはそれぞれ２から１００までの範囲にわたり、ｘ、ｙ及びｚの合計は６から３００までの範囲にある、
により表わされ、かつ
（ｉ）ヒマシ油は、ヒマシ油及びアルコキシル化グリセリンの重量に基づき６０から８０重量％までの範囲で反応体混合物中に存在し、（ｉｉ）アルコキシル化グリセリンは、ヒマシ油及びアルコキシル化グリセリンの重量に基づき２０から４０重量％までの範囲で反応体混合物中に存在する、ステップ；並びに
反応体混合物を１１０℃から１５０℃までの範囲の温度で加熱するステップ
を含む、ヒマシ油アルコキシレートのエストリドの製造方法。
【請求項５】
塩基触媒が、水酸化カリウム、水酸化ナトリウム、水酸化アンモニウム、ナトリウムメトキシド、カリウムメトキシド又はそれらの組合せを含む強塩基であるか、又は
（ｉ）ヒマシ油が、ヒマシ油及びアルコキシル化グリセリンの重量に基づき６５から７５重量％までの範囲で反応体混合物中に存在し、（ｉｉ）アルコキシル化グリセリンが、ヒマシ油及びアルコキシル化グリセリンの重量に基づき２５から３５重量％までの範囲で反応体混合物中に存在する、
請求項４に記載の方法。
【請求項６】
Ｒ’がＨであるか、又は
ｘ、ｙ及びｚの合計が５から２５までの範囲若しくは１０から２５までの範囲にある、請求項４又は５かに記載の方法。
【請求項７】
反応体混合物を４５分から１２０分までの範囲の時間加熱するか、又は、反応体混合物を加熱する段階後に中和剤を添加することをさらに含み、中和剤が過酸化水素、酢酸、クエン酸又はそれらの組合せを含む、請求項４ないし７のいずれかに記載の方法。
【請求項８】
塩基触媒、ヒマシ油及びアルコキシル化グリセリンを組合せることの前にアルコキシル化グリセリンを製造するステップであって、グリセリンと、エチレンオキシド、プロピレンオキシド及びブチレンオキシドよりなる群から選択されるアルキレンオキシドとを組合せること、かつ
前記グリセリンとびアルキレンオキシドの組合せを１２０℃から１６０℃までの範囲の温度で加熱することを含む、ステップを含むことを特徴とする、請求項３に記載の方法。
【請求項９】
塩基触媒を組成物から除去しない、請求項３ないし６のいずれかに記載の方法。
【請求項１０】
請求項１に記載の組成物とそれ以外の成分を含む組成物であって、
（ｉ）それ以外の成分として、セメントが含まれるセメントモルタル組成物、又は
（ｉｉ）それ以外の成分として、顔料と溶媒が含まれる色素分散組成物、又は
（ｉｉｉ）それ以外の成分として、基油が含まれる潤滑油濃縮物、又は
（ｉｖ）それ以外の成分として、有害生物防除上の有効な量の有害生物防除剤又は有害生物防除剤の混合物が含む、農薬製剤組成物、又は
（ｖ）それ以外の成分として、表面活性剤、酵素、酵素安定化剤、ヒドロトロープ、レオロジー改質剤、再付着防止ポリマー、蛍光増白剤、保存剤、染料及び香料の最低１種が含まれる洗剤組成物、
である組成物。
【発明の詳細な説明】
【関連出願の交差引用】
【０００１】
本出願は２０１６年１１月４日出願の米国仮出願第６２／４１７，５４８号明細書（その内容全体は引用することにより本明細書に組み込む）の利益を主張する。
【連邦が支援する研究又は開発に関する声明】
【０００２】
該当しない。
【技術分野】
【０００３】
本開示は、全般として、植物油アルコキシレートのエストリド及びそうしたものの製造方法に関する。具体的に、本開示は、ヒマシ油アルコキシレートのエストリドを製造するためのエステル交換反応を介するヒマシ油及びアルコキシル化グリセリンの反応方法に向けられる。本開示はまた、全般として、ヒマシ油アルコキシレートのエストリドを含む組成物及びそれらの用途にも関する。
【背景技術】
【０００４】
植物油アルコキシレートは塩基触媒を使用する１種又はそれ以上の植物油の直接アルコキシル化により製造するのが典型的である。植物油アルコキシレート一般を製造するための直接アルコキシル化方法は、一般的には、（ｉ）ココナッツ油またはパーム核油のような植物油を塩基触媒を使用してメタノールと反応させてメチルエステルを生成すること及びグリセリン副生成物を除去すること、（ｉｉ）メチルエステルを水素化してアルコールを生成すること、並びに（ｉｉｉ）アルコールをエチレンオキシド（「ＥＯ」）及び／又はプロピレンオキシド（「ＰＯ」）と反応させて植物油アルコキシレートを生成することを含む。
【０００５】
例えば、特許文献１はココナッツ油及びヤシ油の直接アルコキシル化により製造するモノ、ジ及びトリエステル化合物を含む洗剤組成物を開示する。
【０００６】
多様な参考文献が植物油アルコキシレートを生成するための植物油及びアルコキシル化グリセリンのエステル交換反応を教示する（例えば特許文献２、特許文献３、特許文献４を参照されたい）とはいえ、それらは、現在開示及び／又は特許請求するヒマシ油アルコキシレートのエストリド並びにそうしたものの製造方法を教示することに失敗する。
【０００７】
直接アルコキシル化を介して製造する比較可能なヒマシ油に基づくアルコキシレートを上回る改良した特性を有するヒマシ油アルコキシレートのエストリドを含む組成物を提供することが本開示の１目的である。ヒマシ油アルコキシレートのエストリドを含む組成物ならびにヒマシ油アルコキシレートのエストリドを利用する組成物及び方法を提供することもまた本開示の１目的である。
【先行技術文献】
【特許文献】
【０００８】
【特許文献１】第ＥＰ  ０５８６３２３号明細書
【特許文献２】第Ｕ．Ｓ．ＲＥ３８，６３９号明細書
【特許文献３】第ＵＳ  ２０１２／００１６０３９号明細書
【特許文献４】第ＵＳ  ５，９８６，１１７号明細書
【図面の簡単な説明】
【０００９】
【図１】ヒマシ油アルコキシレートのエストリドを製造する代表的な反応機序の図解である。
【図２】ヒマシ油の直接エトキシル化を介して製造するヒマシ油エトキシレートの界面張力と比較したヒマシ油エトキシレートのエストリドの界面張力のグラフ表示である。
【図３】ヒマシ油の直接エトキシル化を介して製造するヒマシ油エトキシレートの起泡特性と比較したヒマシ油エトキシレートのエストリドの起泡特性のグラフ表示である。
【図４】ヒマシ油の直接エトキシル化を介して製造するヒマシ油エトキシレートの界面活性（ｓｕｒｆａｃｔａｎｃｙ）と比較したヒマシ油エトキシレートのエストリドの界面活性のグラフ表示である。
【詳細な説明】
【００１０】
本開示の最低１態様を詳細に説明する前に、本開示はその明細書中で以下の説明に示す又は図面に具体的に説明する成分又は段階又は方法論の構築及び配置の詳細に制限しないことを理解するべきである。本開示は他の態様又は多様な方法で実践若しくは実施することが可能である。また、本明細書で使用する語法及び用語法は説明の目的上でありかつ制限するとみなすべきでないことを理解するべきである。
【００１１】
本明細書で別の方法で定義しない限り、本開示に関して使用する技術用語は当業者により普遍的に理解する意味を有するものとする。さらに、文脈により別の方法で要求しない限り、単数形の用語は複数形を含むものとしかつ複数形の用語は単数形を含むものとする。
【００１２】
本明細で挙げる全部の特許、公開特許出願及び特許以外の刊行物は本開示が関する技術分野の当業者の技能の水準を示す。本出願のいずれかの部分で参照する全部の特許、公開特許出願及び特許以外の刊行物は、各個々の特許又は刊行物がそれらが本開示と相反しない程度まで引用することにより組み込むことをとりわけ及び個々に示した場合と同一の程度までそっくりそのまま引用することにより本明細書に明白に組み込む。
【００１３】
本明細書に開示する組成物及び／又は方法の全部は本開示に照らして不当な実験なしに製造及び実施することができる。本開示の組成物及び方法は好ましい態様に関して説明した一方、変形を本開示の概念、技術思想及び範囲から離れることなく本明細書に説明する組成物及び／又は方法に並びに方法のステップ又はステップの連続において適用する場合があることが当業者には明らかであろう。当業者に明らかな全部のこうした同様の置換及び改変は本開示の技術思想、範囲及び概念内にあるとみなされる。
【００１４】
本開示に従って利用する以下の用語は、別の方法で示さない限り以下の意味を有すると理解するものとする。
【００１５】
「ある（ａ）」又は「ある（ａｎ）」という語の使用は、「含む（こと）（ｃｏｍｐｒｉｓｉｎｇ）」、「含む（こと）（ｉｎｃｌｕｄｉｎｇ）」、「有する（こと）」若しくは「含む（こと）（ｃｏｎｔａｉｎｉｎｇ）」という用語（又はこうした用語の変形）とともに使用する場合、「１」を意味する場合があるが、しかしそれはまた「１又はそれ以上」、「最低１」及び「１または１より大きい」の意味とも一致する。
【００１６】
「又は（若しくは、或いは）（ｏｒ）」という用語の使用は、代替物を単に指すことを明確に示さない限り及び代替物が相互に排他的である場合のみ「及び／又は」を意味するのに使用する。
【００１７】
本開示を通じて、「約」という用語は、ある値が定量装置、機序若しくは方法の誤差の固有の変動又は測定するべき主題（単数又は複数）間に存在する固有の変動を含むことを示すために使用する。例えば、しかし制限としてでなく、「約」という用語を使用する場合、それが指す指定する値は、プラス又はマイナス１０パーセント、又は９パーセント、又は８パーセント、又は７パーセント、又は６パーセント、又は５パーセント、又は４パーセント、又は３パーセント、又は２パーセント、又は１パーセント、又はそれらの間の１若しくはそれ以上の部分だけ変動する場合がある。
【００１８】
「最低１」の使用は、１、２、３、４、５、１０、１５、２０、３０、４０、５０、１００などを含むが、これらに限らない１ならびに１より大きいいかなる量も含むことを理解することができる。「最低１」という用語はそれが指す用語に依存して１００若しくは１０００又はそれ以上まで広がる場合がある。加えて、１００／１０００という量は、より低い又はより高い限界もまた満足する結果を生じる場合があるため、制限するとみなすべきでない。
【００１９】
加えて、「Ｘ、Ｙ及びＺの最低１種」という句は、Ｘ単独、Ｙ単独及びＺ単独ならびにＸ、Ｙ及びＺのいかなる組合せも含むことを理解することができる。同様に、「Ｘ及びＹの最低１種」という句はＸ単独、Ｙ単独、ならびにＸ及びＹのいかなる組合せも含むことを理解することができる。加えて、「の最低１」という句はいかなる数の成分とも使用及び上に示した同様の意味を有する場合があることを理解するべきである。
【００２０】
序数の用語法（すなわち「第一」、「第二」、「第三」、「第四」など）の使用は、単に２又はそれ以上の項目を識別する目的上であり、及び、別の方法で述べない限り、１項目に対する別のものを上回るいずれかの連続若しくは順序若しくは重要性又は添加のいずれかの順序を意味することを意味していない。
【００２１】
本明細書で使用する「含む（こと）（ｃｏｍｐｒｉｓｉｎｇ）」（並びに「含む（ｃｏｍｐｒｉｓｅ）」及び「含む（ｃｏｍｐｒｉｓｅｓ）」のような含む（こと）（ｃｏｍｐｒｉｓｉｎｇ）のいずれかの形態）、「有する（こと）」（並びに「有する（ｈａｖｅ）」及び「有する（ｈａｓ）」のような有する（こと）のいずれかの形態）、「含む（こと）（ｉｎｃｌｕｄｉｎｇ）」（並びに「含む（ｉｎｃｌｕｄｅｓ）」及び「含む（ｉｎｃｌｕｄｅ）」のような含む（こと）（ｉｎｃｌｕｄｉｎｇ）のいずれかの形態）、又は「含む（こと）（ｃｏｎｔａｉｎｉｎｇ）」（並びに「含む（ｃｏｎｔａｉｎｓ）」及び「含む（ｃｏｎｔａｉｎ）」のような含む（こと）（ｃｏｎｔａｉｎｉｎｇ）のいずれかの形態）という語は、包括的であるか又は制限がなく、及び付加的な列挙しない要素又は方法段階を排除しない。
【００２２】
本明細書で使用する「又はそれらの組合せ」及び「及びそれらの組合せ」という句は、その用語に先行する列挙する項目の全部の並べ替え及び組合せを指す。例えば、「Ａ、Ｂ、Ｃ又はそれらの組合せ」は：Ａ、Ｂ、Ｃ、ＡＢ、ＡＣ、ＢＣ、又はＡＢＣ、及び順序が特定の１文脈において重要である場合はまたＢＡ、ＣＡ、ＣＢ、ＣＢＡ、ＢＣＡ、ＡＣＢ、ＢＡＣ又はＣＡＢの最低１種を含むことを意図している。この例で続けて、ＢＢ、ＡＡＡ、ＣＣ、ＡＡＢＢ、ＡＡＣＣ、ＡＢＣＣＣＣ、ＣＢＢＡＡＡ、ＣＡＢＢＢなどのような１個又はそれ以上の項目又は用語の繰り返しを含む組合せを明らかに含む。当業者は、文脈から別の方法で明らかでない限り、いずれかの組合せ中の項目または用語の数に対する制限が典型的に存在しないことを理解することができる。同一の観点で、「及びそれらの組合せ」という用語は、「よりなる群から選択する」という句と使用する場合はその句に先行する列挙する項目の全部の並べ替え及び組合せを指す。
【００２３】
「一態様（ｏｎｅ  ｅｍｂｏｄｉｍｅｎｔ）において」、「一態様（ａｎ  ｅｍｂｏｄ
ｉｍｅｎｔ）において」、「一態様により」などの句は、一般に、その句の後に続く特定の特性、構造又は特徴を本開示の最低１態様に含みかつ本開示の１より多い態様に含む場合があることを意味している。こうした句は制限せず及び必ずしも同一の態様を指さないがしかしもちろん１又はそれ以上の先行する及び／又は後続する態様を指す場合があることが重要だ。例えば、付属する請求の範囲において、特許請求する態様のいずれもいかなる組合せでも使用する場合がある。
【００２４】
本明細書で使用する「重量％（％  ｂｙ  ｗｅｉｇｈｔ）」、「重量％（ｗｔ．％）」、「重量パーセント」又は「重量パーセンテージ」という用語は互換可能に使用し、及び、別の方法で述べない限り、参照する組成物の総重量に基づく。
【００２５】
「実質的に含まない」という句は、参照する組成物の総重量に基づき１重量パーセント未満、又は０．１重量パーセント未満、又は０．０１重量パーセント未満の量で存在することを意味するために本明細書で使用するものとする。
【００２６】
本明細書で使用する「アルキル」という用語は、直鎖及び分枝状鎖双方の基並びに環状基を含む。一部の態様において、アルキル基は、別の方法で明記しない限り４０個までの炭素（一部の態様において３０、２０、１５、１２、１０、８、７、６又は５個までの炭素）を有する場合がある。環状基は単環又は多環である場合があり、及び一部の態様において３個から１０個までの炭素原子を有する場合がある。
【００２７】
本明細書で使用する「エストリド」という用語は当該分野で普遍的に受け入れる定義と一致することを意図している。しかしながら、いずれかの矛盾が存在する場合、本開示を通じて使用する「エストリド」及び「ヒマシ油アルコキシレートのエストリド」という用語は、式（Ｉ）により定義し及び本明細書に開示する方法により製造する構造を指すことを意図している。
【００２８】
「有害生物防除剤（ｐｅｓｔｉｃｉｄｅ）」という用語は殺菌・殺カビ剤（ｆｕｎｇｉｃｉｄｅ）、殺虫剤、殺線虫剤、除草剤、毒性緩和剤、植物成長調節剤及びそれらの混合物よりなる群から選択する最低１種の有害生物防除剤を指す。特定の一局面において、有害生物防除剤は殺菌・殺カビ剤、殺虫剤、除草剤及びそれらの混合物よりなる群から選択する。当業者は、例えばｔｈｅ  Ｐｅｓｔｉｃｉｄｅ  Ｍａｎｕａｌ、第１５版（２０１１）、Ｔｈｅ  Ｂｒｉｔｉｓｈ  Ｃｒｏｐ  Ｐｒｏｔｅｃｔｉｏｎ  Ｃｏｕｎｃｉｌ、ロンドンに見出すことができるこうした有害生物防除剤を熟知している。
【００２９】
「殺菌・殺カビ剤」は、真菌病原体を死滅、防除又は別の方法でその成長を不利に改変する有効成分を意味している。本開示で使用する場合がある殺菌・殺カビ剤の例は、臭化（３−エトキシプロピル）水銀、塩化２−メトキシエチル水銀、２−フェニルフェノール、８−ヒドロキシキノリン硫酸塩、８−フェニルマーキュリオキシキノリン（ｐｈｅｎｙｌｍｅｒｃｕｒｉｏｘｙｑｕｉｎｏｌｉｎｅ）、アシベンゾラル、アシベンゾラルＳメチル、アシペタックス、アシペタックス銅（ａｃｙｐｅｔａｃｓ−ｃｏｐｐｅｒ）、アシペタックス亜鉛（ａｃｙｐｅｔａｃｓ−ｚｉｎｃ）、アルジモルフ、アリルアルコール、アメトクトラジン、アミスルブロム、アンプロピルホス、アニラジン、アウレオファンギン（ａｕｒｅｏｆｕｎｇｉｎ）、アザコナゾール、アジチラム、アゾキシストロビン、多硫化バリウム、ベナラキシル、ベナラキシルＭ、ベノダニル、ベノミル、ベンキノックス、ベンタルロン、ベンチアバリカルブ、ベンチアバリカルブイソプロピル、塩化ベンザルコニウム、ベンザマクリル、ベンザマクリルイソブチル、ベンザモルフ、ベンゾヒドロキサム酸、ベトキサジン、ビナパクリル、ビフェニル、ビテルタノール、ビチオノール、ビキサフェン、ブラストサイジンＳ、ボルドー液、ボスカリド、ブロムコナゾール、ブピリメート、バーガンディ混合物、ブチオベート、ブチルアミン、多硫化カルシウム、カプタホ
ール、キャプタン、カルバモルフ、カルベンダジム、カルボキシン、カルプロパミド、カルボン、チェシェント混合物（Ｃｈｅｓｈｕｎｔ  ｍｉｘｔｕｒｅ）、キノメチオナート、クロベンチアゾン、クロラニホルメタン、クロラニル、クロルフェナゾール、クロロジニトロナフタレン、クロロネブ、クロロピクリン、クロロタロニル、クロルキノックス、クロゾリネート、クリンバゾール、クロトリマゾール、酢酸銅、塩基性炭酸銅、水酸化銅、ナフテン酸銅、オレイン酸銅、オキシ塩化銅、ケイ酸銅、硫酸銅、クロム酸亜鉛銅（ｃｏｐｐｅｒ  ｚｉｎｃ  ｃｈｒｏｍａｔｅ）、クレゾール、クフラネブ、クプロバム、酸化第一銅、シアゾファミド、シクラフラミド、シクロヘキシミド、シフルフェナミド、シモキサニル、シペンダゾール、シプロコナゾール、シプロジニル、ダゾメット、ダゾメットナトリウム、ＤＢＣＰ、デバカルブ、デカフェンチン、デヒドロ酢酸、ジクロフルアニド、ジクロン、ジクロロフェン、ジクロゾリン、ジクロブトラゾール、ジクロシメット、ジクロメジン、ジクロメジンナトリウム塩、ジクロラン、ジエトフェンカルブ、ピロ炭酸ジエチル、ジフェノコナゾール、ジフルメトリム、ジメチリモール、ジメトモルフ、ジモキシストロビン、ジニコナゾール、ジニコナゾールＭ、ジノブトン、ジノカップ、ジノカップ−４、ジノカップ−６、ジノクトン、ジノペントン、ジノスルホン、ジノテルボン、ジフェニルアミン、ジピリチオン、ジスルフィラム、ジタリムホス、ジチアノン、ＤＮＯＣ、ＤＮＯＣアンモニウム塩、ＤＮＯＣカリウム塩、ＤＮＯＣナトリウム塩、ドデモルフ、酢酸ドデモルフ、安息香酸ドデモルフ、ドジシン、ドジシンナトリウム塩、ドジン、ドラゾキソロン、エジフェンホス、エポキシコナゾール、エタコナゾール、エテム（ｅｔｅｍ）、エタボキサム、エチリモール、エトキシキン、エチル水銀２，３−ジヒドロキシプロピルメルカプチド、酢酸エチル水銀、臭化エチル水銀、塩化エチル水銀、リン酸エチル水銀、エトリジアゾール、ファモキサドン、フェンアミドン、フェナミノスルフ、フェナパニル、フェナリモル、フェンブコナゾール、フェンフラム、フェンヘキサミド、フェニトロパン、フェノキサニル、フェンピクロニル、フェンプロピジン、フェンプロピモルフ、フェンチン、塩化トリフェニルスズ、水酸化トリフェニルスズ、ファーバム、フェリムゾン、フルアジナム、フルジオキソニル、フルメトベル、フルモルフ、フルオピコリド、フルオピラム、フルオロイミド、フルオトリマゾール、フルオキサストロビン、フルキンコナゾール、フルシラゾール、フルスルファミド、フルチアニル、フルトラニル、フルトリアホール、フルキサピロキサド、ホルペット、ホルムアルデヒド、ホセチル（ｆｏｓｅｔｙｌ）、ホセチル（ｆｏｓｅｔｙｌ−ａｌｕｍｉｎｉｕｍ）、フベリダゾール、フララキシル、フラメトピル、フルカルバニル、フルコナゾール、フルコナゾール・シス、フルフラール、フルメシクロックス、フロファネート、グリオジン、グリセオフルビン、グアザチン、ハラクリネート、ヘキサクロロベンゼン、ヘキサクロロブタジエン、ヘキサコナゾール、ヘキシルチオホス、ヒドラガフェン、ヒメキサゾール、イマザリル、イマザリルニトラート、硫酸イマザリル、イミベンコナゾール、イミノクタジン、イミノクタジン酢酸塩、イミノクタジンアルベシル酸塩、ヨードメタン、イプコナゾール、イプロベンホス、イプロジオン、イプロバリカルブ、イソプロチオラン、イソピラザム、イソチアニル、イソバレジオン、カスガマイシン、クレソキシムメチル、マンカッパー、マンゼブ、マンジプロパミド、マンネブ、メベニル、メカルビンジド、メパニピリム、メプロニル、メプチルジノカップ、塩化第二水銀、酸化水銀、塩化第一水銀、メタラキシル、メタラキシルＭ、カーバム、カーバムアンモニウム塩、カーバムカリウム塩、カーバムナトリウム塩、メタゾキソロン、メトコナゾール、メタスルホカルブ、メトフロキサム、臭化メチル、イソチオシアン酸メチル、安息香酸メチル水銀、メチル水銀ジシアンジアミド、メチル水銀ペンタクロロフェノキシド、メチラム、メトミノストロビン、メトラフェノン、メトスルホバックス、ミルネブ、ミクロブタニル、ミクロゾリン、Ｎ−（エチル水銀）−ｐ−トルエンスルホンアニリド、ナーバム、ナタマイシン、ニトロスチレン、ニトロタル・イソプロピル、ヌアリモール、ＯＣＨ、オクチリノン、オフラセ、オリサストロビン、オキサジキシル、オキシン銅、オキスポコナゾール、オキスポコナゾールフマル酸塩、オキシカルボキシン、ペフラゾエート、ペンコナゾール、ペンシクロン、ペンフルフェン、ペンタクロロフェノール、ペンチオピラド、フェニルマーキュリウレア（ｐｈｅｎｙｌｍｅｒｃｕ
ｒｉｕｒｅａ）、酢酸フェニル水銀、塩化フェニル水銀、ピロカテコールのフェニル水銀誘導体、硝酸フェニル水銀、サリチル酸フェニル水銀、ホスダイフェン、フタリド、ピコキシストロビン、ピペラリン、ポリカルバメート、ポリオキシン類、ポリオキソリム、ポリオキソリム亜鉛、アジ化カリウム、多硫化カリウム、チオシアン酸カリウム、プロベナゾール、プロクロラズ、プロシミドン、プロパモカルブ、プロパモカルブ塩酸塩、プロピコナゾール、プロピネブ、プロキナジド、プロチオカルブ、プロチオカルブ塩酸塩、プロチオコナゾール、ピラカルボリド、ピラクロストロビン、ピラクロストロビン、ピラメトストロビン、ピラオキシストロビン、ピラゾホス、ピリベンカルブ、ピリジニトリル、ピリフェノックス、ピリメタニル、ピリオフェノン、ピロキロン、ピロキシクロル、ピロキシフル、キナセトール、キナセトールスルフェート、キナザミド、キンコナゾール、キノキシフェン、キントゼン、ラベンザゾール、サリチルアニリド、セダキサン、シルチオファム、シメコナゾール、アジ化ナトリウム、ナトリウムオルトフェニルフェノキシド、ナトリウムペンタクロロフェノキシド、多硫化ナトリウム、スピロキサミン、ストレプトマイシン、イオウ、スルトロペン、ＴＣＭＴＢ、テブコナゾール、テブフロキン、テクロフタラム、テクナゼン、テコラム、テトラコナゾール、チアベンダゾール、チアジフルオール、チシオフェン、チフルザミド、チオクロルフェンヒム、チメロサール、チオファネート、チオファネートメチル、チオキノックス、チウラム、チアジニル、チオキシミド、トルクロホスメチル、トリルフルアニド、酢酸トリル水銀、トリアジメホン、トリアジメノール、トリアミホス、トリアリモール、トリアズブチル、トリアゾキシド、酸化トリブチルスズ、トリクラミド、トリシクラゾール、トリデモルフ、トリフロキシストロビン、トリフルミゾール、トリホリン、トリチコナゾール、ウニコナゾール、ウニコナゾールＰ、バリダマイシン、バリフェナレート、ビンクロゾリン、ザリラミド、ナフテン酸亜鉛、ジネブ、ジラム、ゾキサミド及びこれらの混合物を含むが、これらに限らない。
【００３０】
「殺虫剤」は昆虫を死滅、防除又はそうでなければその成長を不利に改変する有効成分を意味している。本開示で使用する場合がある殺虫剤の例は、１，２−ジクロロプロパン、アバメクチン、アセフェート、アセタミプリド、アセチオン、アセトプロール、アクリナトリン、アクリロニトリル、アラニカルブ、アルジカルブ、アルドキシカルブ、アルドリン、アレスリン、アロサミジン、アリキシカルブ、アルファシペルメトリン、α−エクジソン、α−エンドスルファン、アミジチオン、アミノカルブ、アミトン、アミトンシュウ酸塩、アミトラズ、アナバシン、アチダチオン、アザジラクチン、アザメチホス、アジンホスエチル、アジンホスメチル、アゾトエート、ヘキサフルオロケイ酸バリウム、バルトリン、ベンダイオカルブ、ベンフラカルブ、ベンスルタップ、ベータ・シフルトリン、ベータ・シペルメトリン、ビフェントリン、ビオアレスリン、ビオエタノメトリン（ｂｉｏｅｔｈａｎｏｍｅｔｈｒｉｎ）、ビオペルメトリン、ビストリフルオロン（ｂｉｓｔｒｉｆｌｕｏｒｏｎ）、ホウ砂、ホウ酸、ブロムフェンビンホス、ブロモシクレン、ブロモＤＤＴ、ブロモホス、ブロモホスエチル、ブフェンカルブ、ブプロフェジン、ブタカルブ、ブタチオホス、ブトカルボキシム、ブトネート、ブトキシカルボキシム、カズサホス、ヒ酸カルシウム、多硫化カルシウム、カンフェクロル、カーバノレート、カルバリル、カルボフラン、二硫化炭素、四塩化炭素、カルボフェノチオン、カルボスルファン、カルタップ、カルタップ塩酸塩、クロラントラニリプロール、クロルビシクレン、クロルデン、クロルデコン、クロルジメホルム、塩酸クロルジメホルム、クロレトキシホス、クロルフェナピル、クロルフェンビンホス、クロルフルアズロン、クロルメホス、クロロホルム、クロロピクリン、クロルホキシム、クロルプラゾホス、クロルピリホス、クロルピリホスメチル、クロルチオホス、クロマフェノジド、シネリンＩ、シネリンＩＩ、シネリン類、シスメトリン、クロエトカルブ、クロサンテル、クロチアニジン、アセト亜ヒ酸銅、ヒ酸銅、ナフテン酸銅、オレイン酸銅、クマホス、クミトエート、クロタミトン、クロトキシホス、クルホメート、氷晶石、シアノフェンホス、シアノホス、シアントエート、シアントラニリプロール、シクレトリン、シクロプロトリン、シフルトリン、シハロトリン、シペルメトリン、シフェノトリン、シロマジン、シチオアート、ＤＤＴ、デカルボフラン、
デルタメトリン、デメフィオン、デメフィオン−Ｏ、デメフィオン−Ｓ、ジメトン、ジメトンメチル、ジメトン−Ｏ、ジメトン−Ｏ−メチル、ジメトン−Ｓ、ジメトン−Ｓ−メチル、ジメトン−Ｓ−メチルスルホン、ジアフェンチウロン、ジアリホス、ケイ藻土、ダイアジノン、ジカプトン、ジクロフェンチオン、ジクロルボス、ジクレシル、ジクロトホス、ジシクラニル、ディルドリン、ジフルベンズロン、ジロール、ジメフルトリン、ジメホックス、ジメタン、ジメトエート、ジメトリン、ジメチルビンホス、ジメチラン、ジネックス、ジネックスジクレキシン、ジノプロップ、ジノサム、ジノテフラン、ジオフェノラン、ジオキサベンゾホス、ジオキサカルブ、ジオキサチオン、ジスルホトン、ジチクロホス、ｄ−リモネン、ＤＮＯＣ、ＤＮＯＣアンモニウム塩、ＤＮＯＣカリウム塩、ＤＮＯＣナトリウム塩、ドラメクチン、エクジステロン、エマメクチン、エマメクチン安息香酸塩、ＥＭＰＣ、エンペントリン、エンドスルファン、エンドチオン、エンドリン、ＥＰＮ、エポフェノナン、エプリノメクチン、エスデパレトリン（ｅｓｄｅｐａｌｌｅｔｈｒｉｎｅ）、エスフェンバレレート、エタホス、エチオフェンカルブ、エチオン、エチプロール、エトエートメチル、エトプロホス、ギ酸エチル、エチルＤＤＤ、二臭化エチレン、二塩化エチレン、エチレンオキシド、エトフェンプロックス、エトリムホス、ＥＸＤ、ファムフール、フェナミホス、フェナザフロル、フェンクロルホス、フェネタカルブ、フェンフルトリン、フェニトロチオン、フェノブカルブ、フェノキサクリム、フェノキシカルブ、フェンピリトリン、フェンプロパトリン、フェンスルホチオン、フェンチオン、フェンチオン・エチル、フェンバレレート、フィプロニル、フロニカミド、フルベンジアミド、フルコフロン、フルシクロクスロン、フルシトリネート、フルフェネリム、フルフェノクスロン、フルフェンプロックス、フルバリネート、ホノホス、ホルメタネート、塩酸ホルメタネート、ホルモチオン、ホルムパラネート、塩酸ホルムパラネート、ホスメチラン、ホスピレート、ホスチエタン、フフェノジド、フラチオカルブ、フレスリン、ガンマシハロトリン、ガンマＨＣＨ、ハルフェンプロックス、ハロフェノジド、ＨＣＨ、ＨＥＯＤ、ヘプタクロル、ヘプテノホス、ヘテロホス、ヘキサフルムロン、ＨＨＤＮ、ヒドラメチルノン、シアン化水素、ヒドロプレン、ヒキンカルブ、イミダクロプリド、イミプロトリン、インドキサカルブ、ヨードメタン、ＩＰＳＰ、イサゾホス、イソベンザン、イソカルボホス、イソドリン、イソフェンホス、イソフェンホスメチル、イソプロカルブ、イソプロチオラン、イソチオエート、イソキサチオン、イベルメクチン、ジャスモリンＩ、ジャスモリンＩＩ、ヨードフェンホス、幼若ホルモンＩ、幼若ホルモンＩＩ、幼若ホルモンＩＩＩ、ケレバン、キノプレン、ラムダシハロトリン、ヒ酸鉛、レピメクチン、レプトホス、リンデン、リリムホス、ルフェヌロン、リチダチオン、マラチオン、マロノベン、マジドックス、メカルバム、メカルホン、メナゾン、メペルフルトリン、メホスホラン、塩化第一水銀、メスルフェンホス、メタフルミゾン、メタクリホス、メタミドホス、メチダチオン、メチオカルブ、メトクロトホス、メトミル、メトプレン、メトトリン、メトキシクロル、メトキシフェノジド、臭化メチル、イソチオシアン酸メチル、メチルクロロホルム、塩化メチレン、メトフルトリン、メトルカルブ、メトキサジアゾン、メビンホス、メキサカルベート、ミルベメクチン、ミルベマイシンオキシム、ミパホックス、マイレックス、モロスルタップ、モノクロトホス、モノメハイポ（ｍｏｎｏｍｅｈｙｐｏ）、モノスルタップ、モルホチオン、モキシデクチン、ナフタロホス、ナレッド、ナフタレン、ニコチン、ニフルリジッド、ニテンピラム、ニチアジン、ニトリラカルブ、ノバルロン、ノビフルムロン、オメトエート、オキサミル、オキシジメトンメチル、オキシデプロホス、オキシジスルホトン、パラジクロロベンゼン、パラチオン、パラチオンメチル、ペンフルロン、ペンタクロロフェノール、ペルメトリン、フェンカプトン、フェノトリン、フェントエート、ホレート、ホサロン、ホスホラン、ホスメット、ホスニクロル、ホスファミドン、ホスフィン、ホキシム、ホキシムメチル、ピリメタホス、ピリミカーブ、ピリミホスエチル、ピリミホスメチル、亜ヒ酸カリウム、チオシアン酸カリウム、ｐｐ’−ＤＤＴ、プラレトリン、プレコセンＩ、プレコセンＩＩ、プレコセンＩＩＩ、ピリミドホス、プロフェノホス、プロフルラリン、プロフルトリン、プロマシル、プロメカルブ、プロパホス、プロペタムホス、プロポクスル、プロチダチオン、プロチオホス、プロトエート、プロトリフェ
ンブト、ピメトロジン、ピラクロホス、ピラフフルプロール、ピラゾホス、ピレスメトリン、ピレトリンＩ、ピレトリンＩＩ、ピレトリン類、ピリダベン、ピリダリル、ピリダフェンチオン、ピリフルキナゾン、ピリミジフェン、ピリミテート、ピリプロール、ピリプロキシフェン、ニガキ、キナルホス、キナルホスメチル、キノチオン、ラフォキサニド、レスメトリン、ロテノン、リアニア、サバジラ、シュラーダン、セラメクチン、シラフルオフェン、シリカゲル、亜ヒ酸ナトリウム、フッ化ナトリウム、ヘキサフルオロケイ酸ナトリウム、チオシアン酸ナトリウム、ソファミド、スピネトラム、スピノサド、スピロメシフェン、スピロテトラマト、スルコフロン、スルコフロンナトリウム、スルフルラミド、スルホテップ、スルホキサフロル、フッ化スルフリル、スルプロホス、タウフルバリネート、タジムカルブ、ＴＤＥ、テブフェノジド、テブフェンピラド、テブピリムホス、テフルベンズロン、テフルトリン、テメホス、ＴＥＰＰ、テラレトリン、テルブホス、テトラクロロエタン、テトラクロルビンホス、テトラメスリン、テトラメチルフルトリン、シータシペルメトリン、チアクロプリド、チアメトキサム、チクロホス、チオカルボキシム、チオシクラム、チオシクラムシュウ酸塩、チオジカルブ、チオファノックス、チオメトン、チオスルタップ（ｔｈｉｏｓｕｌｔａｐ）チオスルタップ（ｔｈｉｏｓｕｌｔａｐ−ｄｉｓｏｄｉｕｍ）、チオスルタップ一ナトリウム塩、ツリンギエンシン、トルフェンピラド、トラロメトリン、トランスフルトリン、トランスペルメトリン、トリアラテン、トリアザメート、トリアゾホス、トリクロルホン、トリクロルメタホス−３、トリクロロナート、トリフェノホス、トリフルムロン、トリメタカルブ、トリプレン、バミドチオン、バニリプロール、ＸＭＣ、キシリルカルブ、ゼータシペルメトリン、ゾラプロホス及びこれらの混合物を含むが、これらに限らない。
【００３１】
「除草剤」は、植物を死滅、防除又はそうでなければその成長を不利に改変する有効成分を意味している。本開示で使用する場合がある除草剤の例は、４−ＣＰＡ、４−ＣＰＢ、４−ＣＰＰ、２，４−Ｄ、３，４−ＤＡ、２，４−ＤＢ、３，４−ＤＢ、２，４−ＤＥＢ、２，４−ＤＥＰ、３，４−ＤＰ、２，３，６−ＴＢＡ、２，４，５−Ｔ、２，４，５−ＴＢ、アセトクロル、アシフルオルフェン、アクロニフェン、アクロレイン、アラクロール、アリドクロル、アロキシジム、アリルアルコール、アロラック、アメトリジオン、アメトリン、アミブジン、アミカルバゾン、アミドスルフロン、アミノシクロピラクロル、アミノピラリド、アミプロホスメチル、アミトロール、スルファミン酸アンモニウム、アニロホス、アニスロン、アシュラム、アトラトン、アトラジン、アザフェニジン、アジムスルフロン、アジプロトリン、バルバン、ＢＣＰＣ、ベフルブタミド、ベナゾリン、ベンカルバゾン、ベンフルラリン、ベンフレセート、ベンスルフロン、ベンスリド、ベンタゾン、ベンザドックス、ベンズフェンジゾン、ベンジプラム、ベンゾビシクロン、ベンゾフェナップ、ベンゾフルオル、ベンゾイルプロップ、ベンチアズロン、ビシクロピロン、ビフェノックス、ビラナホス、ビスピリバック、ホウ砂、ブロマシル、ブロモボニル、ブロモブチド、ブロモフェノキシム、ブロモキシニル、ブロムピラゾン、ブタクロール、ブタフェナシル、ブタミホス、ブテナクロール、ブチダゾール、ブチウロン、ブトルアリン、ブトロキシジム、ブツロン、ブチレート、カコジル酸、カフェンストロール、塩素酸カルシウム、カルシウムシアナミド、カンベンジクロル、カルバスラム、カルベタミド、カルボキサゾール、クロルプロカルブ、カルフェントラゾン、ＣＤＥＡ、ＣＥＰＣ、クロメトキシフェン、クロランベン、クロラノクリル、クロラジホップ、クロラジン、クロルブロムロン、クロルブファム、クロレツロン、クロルフェナック、クロルフェンプロップ、クロルフルラゾール、クロルフルレノール、クロリダゾン、クロリムロン、クロルニトロフェン、クロロポン、クロロトルロン、クロロクスロン、クロロキシニル、クロルプロファム、クロルスルフロン、クロルタール、クロルチアミド、シニドンエチル、シンメチリン、シノスルフロン、シサニリド、クレトジム、クリオジネート、クロジナホップ、クロホップ、クロマゾン、クロメプロップ、クロプロップ、クロプロキシジム、クロピラリド、クロランスラム、ＣＭＡ、硫酸銅、ＣＰＭＦ、ＣＰＰＣ、クレダジン、クレゾール、クミルロン、シアナトリン、シアナジン、シクロエート、シクロスルファムロン、シクロキ
シジム、シクルロン、シハロホップ、シペルコート、シプラジン、シプラゾール、シプロミッド、ダイムロン、ダラポン、ダゾメット、デラクロール、デスメディファム、デスメトリン、ジアレート、ジカンバ、ジクロベニル、ジクロラルウレア（ｄｉｃｈｌｏｒａｌｕｒｅａ）、ジクロルメート、ジクロルプロップ、ジクロルプロップＰ、ジクロホップ、ジクロスラム、ジエタムコート、ジエタチル、ジフェノペンテン、ジフェノキスロン、ジフェンゾコート、ジフルフェニカン、ジフルフェンゾピル、ジメフロン、ジメピペレート、ジメタクロール、ジメタメトリン、ジメテナミド、ジメテナミドＰ、ジメキサノ、ジミダゾン、ジニトラミン、ジノフェナート、ジノプロップ、ジノサム、ジノセブ、ジノテルブ、ジフェナミド、ジプロペトリン、ジクワット、ジスル、ジチオピル、ジウロン、ＤＭＰＡ、ＤＮＯＣ、ＤＳＭＡ、ＥＢＥＰ、エグリナジン、エンドタール、エプロナズ、ＥＰＴＣ、エルボン、エスプロカルブ、エタルフルラリン、エタメトスルフロン、エチジムロン、エチオレート、エトフメセート、エトキシフェン、エトキシスルフロン、エチノフェン、エトニプロミド、エトベンザニド、ＥＸＤ、フェナシュラム、フェノプロップ、フェノキサプロップ、フェノキサプロップＰ、フェノキサスルホン、フェンテラコール、フェンチアプロップ、フェントラゾアミド、フェニュロン、硫酸第一鉄、フランプロップ、フランプロップＭ、フラザスルフロン、フロラスラム、フルアジホップ、フルアジホップＰ、フルアゾレート、フルカルバゾン、フルセトスルフロン、フルクロラリン、フルフェナセット、フルフェニカン、フルフェンピル、フルメツラム、フルメジン、フルミクロラック、フルミオキサジン、フルミプロピン、フルオメツロン、フロロジフェン、フルオログリコフェン、フルオロミジン、フルオロニトロフェン、フルオチウロン、フルポキサム、フルプロパシル、フルプロパネート、フルピルスルフロン、フルリドン、フルオロクロリドン、フルオロキシピル（ｆｌｕｏｒｏｘｙｐｙｒ）、フルルタモン、フルチアセット、ホメサフェン、ホラムスルフロン、ホサミン、フリロキシフェン、グルホシネート、グルホシネートＰ、グリホサート、ハロサフェン、ハロスルフロン、ハロキシジン、ハロキシホップ、ハロキシホップＰ、ヘキサクロロアセトン、ヘキサフルレート、ヘキサジノン、イマザメタベンズ、イマザモックス、イマザピック、イマザピル、イマザキン、イマゼタピル、イマゾスルフロン、インダノファン、インダジフラム、ヨードボニル、ヨードメタン、ヨードスルフロン、アイオキシニル、イパジン、イプフェンカルバゾン、イプリミダム、イソカルバミド、イソシル、イソメチオジン、イソノルロン、イソポリネート、イソプロパリン、イソプロツロン、イソウロン、イソキサベン、イソキサクロルトール、イソキサフルトール、イソキサピリホップ、カルブチレート、ケトスピラドックス、ラクトフェン、レナシル、リニュロン、ＭＡＡ、ＭＡＭＡ、ＭＣＰＡ、ＭＣＰＡチオエチル、ＭＣＰＢ、メコプロップ、メコプロップＰ、メジノテルブ、メフェナセット、メフルイジド、メソプラジン、メソスルフロン、メソトリオン、カーバム、メタミホップ、メタミトロン、メタザクロール、メタゾスルフロン、メトフルラゾン、メタベンズチアズロン、メタルプロパリン、メサゾール、メチオベンカルブ、メチオゾリン、メチウロン、メトメトン、メトプロトリン、臭化メチル、イソチオシアン酸メチル、メチルダイムロン、メトベンズロン、メトブロムロン、メトラクロール、メトスラム、メトキスロン、メトリブジン、メトスルフロン、モリネート、モナリッド、モニソウロン、モノクロロ酢酸、モノリニュロン、モニュロン、モルファムコート、ＭＳＭＡ，ナプロアニリド、ナプロパミド、ナプタラム、ネブロン、ニコスルフロン、ニピラクロフェン、ニトラリン、ニトロフェン、ニトロフルオルフェン、ノルフルラゾン、ノルロン、ＯＣＨ、オルベンカルブ、オルトジクロロベンゼン、オルトスルファムロン、オリザリン、オキサジアルギル、オキサジアゾン、オキサピラゾン、オキサスルフロン、オキサジクロメホン、オキシフローフェン、パラフルオロン（ｐａｒａｆｌｕｏｒｏｎ）、パラコート、ペブレート、ペラルゴン酸、ペンディメタリン、ペノキススラム、ペンタクロロフェノール、ペンタノクロール、ペントキサゾン、ペルフルイドン、ペトキサミド、フェニソファム、フェンメディファム、フェンメディファムエチル、フェノベンズロン、酢酸フェニル水銀、ピクロラム、ピコリナフェン、ピノキサデン、ピペロホス、亜ヒ酸カリウム、アジ化カリウム、シアン酸カリウム、プレチラクロール、プリミスルフロン、プロシアジン、プロジアミン、プロフルアゾール、
プロフルラリン、プロホキシジム、プログリナジン、プロメトン、プロメトリン、プロパクロール、プロパニル、プロパキザホップ、プロパジン、プロファム、プロピソクロール、プロポキシカルバゾン、プロピリスルフロン、プロピザミド、プロスルファリン、プロスルホカルブ、プロスルフロン、プロキサン、プリナクロール、ピダノン、ピラクロニル、ピラフルフェン、ピラスルホトール、ピラゾリネート、ピラゾスルフロン、ピラゾキシフェン、ピリベンゾキシム、ピリブチカルブ、ピリクロール、ピリダフォル、ピリデート、ピリフタリド、ピリミノバック、ピリミスルファン、ピリチオバック、ピロキサスルホン、ピロキススラム、キンクロラック、キンメラック、キノクラミン、キノナミド、キザロホップ、キザロホップＰ、ロデタニル、リムスルフロン、サフルフェナシル、エスメトラクロール、セブチラジン、セクブメトン、セトキシジム、シデュロン、シマジン、シメトン、シメトリン、ＳＭＡ、亜ヒ酸ナトリウム、アジ化ナトリウム、塩素酸ナトリウム、スルコトリオン、スルファレート、スルフェントラゾン、スルホメツロン、スルホスルフロン、硫酸、スルグリカピン、スウェップ、ＴＣＡ、テブタム、テブチウロン、テフリルトリオン、テムボトリオン、テプラロキシジム、ターバシル、テルブカルブ、テルブクロル、テルブメトン、テルブチラジン、テルブトリン、テトラフルオロン（ｔｅｔｒａｆｌｕｏｒｏｎ）、テニルクロール、チアザフルロン、チアゾピル、チジアジミン、チジアズロン、チエンカルバゾンメチル、チフェンスルフロン、チオベンカルブ、チオカルバジル、チオクロリム、トプラメゾン、トラルコキシジム、トリアレート、トリアスルフロン、トリアジフラム、トリベニュロン、トリカンバ、トリクロピル、トリジファン、トリエタジン、トリフロキシスルフロン、トリフルラリン、トリフルスルフロン、トリホップ、トリホプシム、トリヒドロキシトリアジン、トリメツロン、トリプロピンダン、トリタック（ｔｒｉｔａｃ）、トリトスルフロン、バーナレート、キシラクロル及びそれらの混合物を含むが、これらに限らない。
【００３２】
「毒性緩和剤」は、作物をそれらの傷害から保護するために除草剤とともに散布する有効成分を意味している。本開示で使用する場合がある毒性緩和剤の一部は、ベノキサコル、ベンチオカルブ、ブラシノリド、クロキントセット（メキシル）、シオメトリニル、ダイムロン、ジクロルミド、ジシクロノン、ジメピペレート、ジスルホトン、フェンクロラゾールエチル、フェンクロリム、フルラゾール、フルキソフェニム、フリラゾール、イソキサジフェンエチル、メフェンピルジエチル、ＭＧ  １９１、ＭＯＮ  ４６６０、ナフタル酸無水物（ＮＡ）、オキサベトリニル、Ｒ２９１４８、Ｎ−フェニルスルホニル安息香酸アミド及びそれらの混合物を含むが、これらに限らない。
【００３３】
「殺線虫剤」は、それにより引き起こす損害の低減のような農業に関連する線虫に対する影響を有する有効成分を意味している。本開示で使用する場合がある殺線虫剤の例は、アベルメクチン（例えばアバメクチン）、カルバメート殺線虫剤（例えばアルジカルブ、チアジカルブ、カルボフラン、カルボスルファン、オキサミル、アルドキシカルブ、エトプロプ、メソミル、ベノミル、アラニカルブ）、有機リン系殺線虫剤（例えばフェナミホス（ｐｈｅｎａｍｉｐｈｏｓ）（フェナミホス（ｆｅｎａｍｉｐｈｏｓ））、フェンスルホチオン、テルブホス、ホスチアゼート、ジメトエート、ホスホカルブ、ジクロフェンチオン、イサミドホス、ホスチエタン、イサゾホス、エトプロホス、カズサホス、テルブホス、クロルピリホス、ジクロフェンチオン、ヘテロホス、イサミドホス、メカルホン、ホレート、チオナジン、トリアゾホス、ジアミダホス、ホスチエタン、ホスファミドン、キャプタン及びそれらの混合物を含むが、これらに限らない。
【００３４】
「植物成長調節剤」は、植物の成長の特徴に影響するために使用する有効成分を意味している。本開示で使用する場合がある植物成長調節剤の例は、１−ナフタレン酢酸、１−ナフタレン酢酸Ｋ塩、１−ナフトール、２，４−ジクロロフェノキシ酢酸（２，４−Ｄ）、２，４−ＤＢ、２，４−ＤＥＰ、２，３，５−トリヨード安息香酸、２，４，５−トリクロロフェノキシ酢酸、２−ナフトキシ酢酸、２−ナフトキシ酢酸ナトリウム塩、３−ク
ロロ−４−ヒドロキシフェニル酢酸、３−インドール酢酸、４−ビフェニル酢酸、４−クロロフェノキシ酢酸（４−ＣＰＡ）、４−ヒドロキシフェニル酢酸、６−ベンジルアミノプリン、Ａｕｘｉｎｄｏｌｅ、α−ナフタレン酢酸Ｋ塩、β−ナフトキシ酢酸、ｐ−クロロフェノキシ酢酸、ジカンバ、ジクロルプロップ、フェノプロップ、インドール−３−酢酸（ＩＡＡ）、インドール−３−アセチル−ＤＬ−アスパラギン酸、インドール−３−アセチル−ＤＬ−トリプトファン、インドール−３−アセチル−Ｌ−アラニン、インドール−３−アセチル−Ｌ−バリン、インドール−３−酪酸（ＩＢＡ）、インドール−３−酪酸Ｋ塩、インドール−３−プロピオン酸；α−ナフタレン酢酸、インドール−３−酢酸メチル、ナフタレンアセトアミド、ナフタレン酢酸（ＮＡＡ）、フェニル酢酸、ピクロラム、ナフテン酸カリウム、ナフテン酸ナトリウム、４−ヒドロキシフェネチルアルコール、４−ＣＰＰＵ、６−ベンジルアミノプリン（ＢＡ）、６−（Ｙ，Ｙ−ジメチルアリルアミノ）プリン（２ｉＰ）、２−ｉＰ−２ＨＣｌ、アデニン、アデニン半硫酸塩（ａｄｅｎｉｎｅ  ｈｅｍｉｓｕｌｆａｔｅ）、ベンジルアデニン、カイネチン、ｍｅｔａ−トポリン、Ｎ６−ベンゾイルアデニン、Ｎ−ベンジル−９−（２−テトラヒドロピラニル）アデニン（ＢＰ  Ａ）、Ｎ−（２−クロロ−４−ピリジル）−Ｎ−フェニル尿素、ジベレリン酸（ＧＡ3）、ジベレリン類、ジベレリンＡ４＋Ａ７（ＧＡ4/7）、エチレン及びアブシジン酸を含むが、これらに限らない。
【００３５】
「標的基質（ｓｕｂｓｔｒａｔｅ）」という用語は、土壌、水（例えば湖、池、沼地、湿地、小川、水たまりなど）のような天然の地表面及び人工表面（例えば舗装道路）、有害生物（ｐｅｓｔ）又はそれらの組合せを含むが、これらに限らない有害生物防除剤のための意図している目的地である植物の葉の下にある場所を指す。
【００３６】
「有害生物」は、全般として、いずれかの植物若しくはその部分又は植物のいずれかの加工した、製造した若しくは他の生成物において直接又は間接的に傷害する又は疾患若しくは損傷を引き起こす場合がある、昆虫、ダニ、マダニ及び他の節足動物、真菌、原生動物、細菌及びウイルスのような病原体、蠕虫、線虫（ｎｅｍａｔｏｄｅｓ）（線虫（ｒｏｕｎｄｏｗｏｒｍｓ））、条虫（ｃｅｓｔｏｄｅｓ）（条虫（ｔａｐｅｗｏｒｍｓ））、扁形動物（ｐｌａｔｙｈｅｌｍｉｎｔｈｓ）（扁形動物（ｆｌａｔｗｏｒｍｓ））、吸虫（ｔｒｅｍａｔｏｄｅｓ）（吸虫（ｆｌｕｋｅｓ））、及び他の蠕虫、胞子虫綱の寄生虫、ナメクジ及びカタツムリ、並びに、鳥類、げっ歯類のような脊椎動物又は他の脊椎動物を含む。
【００３７】
「有害生物防除上の有効な量」は、散布に際して有害生物の存在を低減するか又は有害生物に対する植物の抵抗性を高めるかのいずれかの有害生物防除剤の量を指す。
【００３８】
本開示を利用して、特定の比のヒマシ油及びアルコキシル化グリセリンを塩基触媒の存在下でエステル交換反応にかけることが、直接アルコキシル化により製造する類似のヒマシ油アルコキシレートを上回る相対的に改良した特性を有するヒマシ油アルコキシレートの独特なエストリドを生じることを見出したことは驚くことだ。
【００３９】
本開示は、全般として、そうでなければ「ヒマシ油アルコキシレートのエストリド」と本明細書で称するヒマシ油及びアルコキシル化グリセリンのエステル交換反応から製造するエストリドを含む組成物に向く。具体的には、本開示は式（Ｉ）：
【００４０】
【化１】
0006890133.tif 000002
【００４１】
式中、Ｒ’はＨ、ＣＨ3、ＣＨ2ＣＨ3又はそれらの組合せであり；ｘ、ｙ及びｚはそれぞれ２から１００までの範囲にわたりかつｘ、ｙ及びｚの合計は６から３００までの範囲にあり；並びにＲはＣ9不飽和アルキル基であり、
を有するエストリドを含む組成物に向く。
【００４２】
一態様において、Ｒ’は水素である。別の態様において、ｘ、ｙ及びｚはそれぞれ２から７５まで、又は２から５０まで、又は２から２５まで、又は２から１０まで、又は２から５までの範囲にわたる。
【００４３】
特定の一態様により、式（Ｉ）中のｘ、ｙ及びｚの合計は、６から２７５まで、又は６から２５０まで、又は６から２２５まで、又は６から２００まで、又は６から１７５まで、又は６から１５０まで、又は６から１２５まで、又は７から１００まで、又は７から９０まで、又は７から８０まで、又は７から７０まで、又は７から６０まで、又は７から５０まで、又は８から５０まで、又は８から４５まで、又は８から４０まで、又は９から４０まで、又は９から３０まで、又は５から３０まで、又は５から２５まで、又は５から１５まで、又は５から１０まで、又は１０から２５まで、又は１０から１５までの範囲にある。好ましい一局面において、式（Ｉ）中のｘ、ｙ及びｚの合計は１０から２５までの範囲にある。
【００４４】
なお別の態様において、式（Ｉ）についてＲ’は水素であり並びにｘ、ｙ及びｚの合計は１０から２５までの範囲にある。
【００４５】
一態様において、式（Ｉ）により表すエストリドはヒマシ油及びアルコキシル化グリセリンの反応生成物である。アルコキシル化グリセリンはエトキシル化グリセリン、プロポキシル化グリセリン、ブトキシル化グリセリン又はそれらの組合せから選択する場合がある。
【００４６】
ヒマシ油は、典型的に、８５ないし９５重量％のリシノール酸、２ないし６重量％のオレイン酸、１ないし５重量％のリノール酸、０．５ないし１重量％のパルミチン酸、０．５ないし１重量％のステアリン酸及び約０．５ないし４重量％のその他の酸を含む。制限しない１例において、ヒマシ油は、８９．５重量％のリシノール酸、４．２重量％のリノール酸、３．０重量％のオレイン酸、１．０重量％のパルミチン酸、１．０重量％のステアリン酸及び１．３重量％の他の酸を含む。ヒマシ油の制限しない商業的１例は、８５重量％の最小リシノール酸含量、１重量％の最大オレイン酸含量及び０．０２重量％の不溶性不純物の最大量を有するＡｃｍｅ−Ｈａｒｄｅｓｔｙ（ペンシルバニア州ブルーベル）
により提供するヒマシ油である。
【００４７】
別の局面において、本開示はヒマシ油アルコキシレートのエストリドを含む組成物の製造方法に向き、前記方法は（ｉ）塩基触媒、ヒマシ油及びアルコキシル化グリセリンを組合せて反応体混合物を生成すること、並びに（ｉｉ）反応体混合物を１１０℃から１５０℃までの範囲の温度で加熱することを含む。
【００４８】
アルコキシル化グリセリンは式（ＩＩ）：
【００４９】
【化２】
0006890133.tif 000003
【００５０】
式中、Ｒ’はＨ、ＣＨ3、ＣＨ2ＣＨ3又はそれらの組合せであり；並びにｘ、ｙ及びｚはそれぞれ２から１００までの範囲にわたりかつｘ、ｙ及びｚの合計は６から３００までの範囲にあり、
により表す。
【００５１】
一態様において、Ｒ’は水素である。別の態様において、ｘ、ｙ及びｚはそれぞれ２から７５まで、又は２から５０まで、又は２から２５まで、又は２から１０まで、又は２から５までの範囲にわたる。
【００５２】
特定の一態様により、式（ＩＩ）中のｘ、ｙ及びｚの合計は、６から２７５まで、又は６から２５０まで、又は６から２２５まで、又は６から２００まで、又は６から１７５まで、又は６から１５０まで、又は６から１２５まで、又は７から１００まで、又は７から９０まで、又は７から８０まで、又は７から７０まで、又は７から６０まで、又は７から５０まで、又は８から５０まで、又は８から４５まで、または８から４０まで、又は９から４０まで、又は９から３０まで、又は５から３０まで、又は５から２５まで、又は５から１５まで、又は５から１０まで、又は１０から２５まで、又は１０から１５までの範囲にある。好ましい一局面において、式（ＩＩ）中のｘ、ｙ及びｚの合計は１０から２５までの範囲にある。
【００５３】
なお別の態様において、式（ＩＩ）についてＲ’は水素であり並びにｘ、ｙ及びｚの合計は１０から２５までの範囲にある。
【００５４】
ヒマシ油アルコキシレートのエストリドの製造方法の代表的１具体的説明を図１に示す。
【００５５】
ヒマシ油は、ヒマシ油及びアルコキシル化グリセリンの組合せた重量に基づき約６０から約８０重量％まで、又は約６５から約７５重量％まで、又は約６６から約７４重量％まで、又は約６７から約７３重量％まで、又は約６８から約７２重量％まで、又は約６９から約７１重量％までの範囲の量で反応体混合物中に存在する。一局面において、ヒマシ油は、ヒマシ油及びアルコキシル化グリセリンの組合せた重量に基づき約７０重量％で該反応体混合物中に存在する。
【００５６】
アルコキシル化グリセリンは、ヒマシ油及びアルコキシル化グリセリンの組合せた重量に基づき約２０から４０重量％まで、又は約２５から３５重量％まで、又は約２６から約３４重量％まで、又は約２７から約３３重量％まで、又は約２８から約３２重量％まで、又は約２９から約３１重量％までの範囲の量で該反応体混合物中に存在する。一局面において、アルコキシル化グリセリンは、ヒマシ油及びアルコキシル化グリセリンの組合せた重量に基づき約３０重量％で反応体混合物中に存在する。
【００５７】
一態様において、アルコキシル化グリセリンは、（ｉ）グリセリン及びアルキレンオキシドを組合せることであって、アルキレンオキシドはエチレンオキシド、プロピレンオキシド及びブチレンオキシドよりなる群から選択し、並びに（ｉｉ）グリセリン及びアルキレンオキシドの組合せを約１２０℃から約１６５℃まで、又は約１２０℃から約１６０℃まで、又は約１５０℃から約１６５℃まで、又は約１５０℃から約１６０℃まで、又は約１５５℃から約１６５℃までの範囲の温度で加熱することにより製造する。当業者が（ｉ）標的アルコキシル化量及び（ｉｉ）特定の加熱条件に基づきグリセリン及びアルキレンオキシドの組合せを加熱する時間の量を決定することが完全に可能であることを理解するはずである。
【００５８】
特定の一態様において、ヒマシ油及びアルコキシル化グリセリンは、約８０：２０から約６０：４０まで、又は約７５：２５から約６５：３５まで、又は約７０：３０のヒマシ油対アルコキシル化グリセリンの重量比で反応体混合物中に存在する。
【００５９】
塩基触媒は９より大きい、又は９から１３まで、又は１０から１３までのｐＨを有する強塩基を含む。一態様において、塩基触媒は、水酸化カリウム、水酸化ナトリウム、水酸化アンモニウム、ナトリウムメトキシド、カリウムメトキシド又はそれらの組合せを含む強塩基を含む。特定の一局面において、塩基触媒は水酸化カリウムである。塩基触媒の制限しない１例は、Ａｓｈｔａ  Ｃｈｅｍｉｃａｌｓ，Ｉｎｃ．（オハイオ州アシュタビューラ）から商業的に入手可能な４５重量％水酸化カリウム溶液である。
【００６０】
塩基触媒は、例えば組成物が塩基触媒を実質的に含まないような１個又はそれ以上の付加的な処理段階を使用してエストリド組成物から除去する場合がある。あるいは、塩基触媒は反応体混合物及び／又は生じるエストリド組成物中に留まることを許される場合がある。
【００６１】
一態様において、塩基触媒、ヒマシ油及びアルコキシル化グリセリンを含む反応体混合物は、約１１０℃から約１５０℃まで、又は約１１０℃から約１４０℃まで、又は約１３０℃から１４５℃まで、又は約１３０℃から約１４０℃までの範囲の温度で加熱する。反応体混合物は、例えばしかし制限なく約４５分から９０分まで、若しくは約５０分から約７５分までの範囲の時間、又は約６０分間加熱する。
【００６２】
ヒマシ油アルコキシレートのエストリドを含む組成物の製造方法は、加熱段階後に中和剤を反応体混合物に添加することをさらに含む場合がある。中和剤は過酸化水素、酢酸、クエン酸又はそれらの組合せを含む場合がある。一局面において、中和剤は、過酸化水素、酢酸、クエン酸及びそれらの組合せよりなる群から選択する。
【００６３】
特定の一局面において、組成物の製造方法は加熱段階後に反応体混合物に過酸化水素を添加することを含む。
【００６４】
別の局面において、ヒマシ油アルコキシレートのエストリドを含む組成物の製造方法は、塩基触媒、ヒマシ油及びアルコキシル化グリセリンを組合せる前にアルコキシル化グリ
セリンを製造することをさらに含む。
【００６５】
アルコキシル化グリセリンは、（ｉ）グリセリン及びアルキレンオキシドを組合せることであって、アルキレンオキシドはエチレンオキシド、プロピレンオキシド及びブチレンオキシドよりなる群から選択し、並びに（ｉｉ）グリセリン及びアルキレンオキシドの組合せを約１２０℃から約１６５℃まで、又は約１２０℃から約１６０℃まで、又は約１５０℃から約１６５℃まで、又は約１５０℃から約１６０℃まで、又は約１５５℃から１６５℃までの範囲の温度で加熱することを含む方法により製造する場合がある。当業者が（ｉ）標的アルコキシル化量及び（ｉｉ）特定の加熱条件に基づきグリセリン及びアルキレンオキシドの組合せを加熱する時間の量を決定することが完全に可能であることを理解するはずである。
【００６６】
本開示の別の局面は、（ｉ）セメント及び（ｉｉ）本明細書に説明する式（Ｉ）により表すエストリドを含む組成物を含むセメントモルタル組成物に向く。
【００６７】
セメントの制限しない例は、ポゾランパウダー、ポルトランドセメント、高炉セメント、他の種類の慣習的セメント又はそれらの組合せを含む。ポゾランパウダーの制限しない例は、クラスＣフライアッシュ、クラスＦフライアッシュ、クラスＮポゾランアッシュ及びそれらの組合せを含む。
【００６８】
セメントモルタル組成物は、骨材材料、増粘剤、垂れ防止剤、空気連行剤、湿潤剤、泡消し剤、高性能ＡＥ減水剤、分散剤、カルシウム錯化剤、リターダー、促染剤、撥水剤、再乳化粉末、生体高分子、繊維、凍結融解調節剤、腐食防止剤、強度増強剤、セメント粉砕助剤及び水の最低１種をさらに含む場合がある。
【００６９】
セメントモルタル組成物はセメントに加えて１種又はそれ以上の充填剤もまた含む場合がある。１種又はそれ以上の充填剤の制限しない例は、シリカ砂、天然砂、石製造からの製造した細骨材、ボトムアッシュ、スラグ、粉末ガラス、回収した鋳物砂及びそれらの組合せを含む。
【００７０】
本開示のなお別の局面は、顔料、溶媒、及び本明細書に開示する式（Ｉ）により表すエストリドを含む組成物を含む顔料分散系に向く。
【００７１】
顔料は無機顔料、有機顔料又はそれらの組合せである場合がある。
【００７２】
無機顔料の制限しない例は、接触法、炉法及び熱法のような既知の方法により製造する酸化チタン、酸化鉄、酸化カルシウム、硫酸バリウム、水酸化アルミニウム、バリウムイエロー、カドミウムレッド、クロームイエロー及びカーボンブラックを含む。
【００７３】
有機顔料の制限しない例は、アゾ顔料（アゾレーキ、不溶性アゾ顔料、濃縮アゾ顔料、キレートアゾ顔料など）、多環顔料（フタロシアニン顔料、ペリレン顔料、ペリノン顔料、アントラキノン顔料、キナクリドン顔料、ジオキサジン顔料、インディゴ顔料、チオインディゴ顔料、イソインドリノン顔料及びキノフラノン顔料など）、染料キレート（塩基性染料型キレート、酸染料型キレート）、ニトロ顔料、ニトロソ顔料及びアニリンブラックを含む。
【００７４】
一態様において、顔料は、例えばしかし制限なく（ｉ）ファーネスブラック、ランプブラック、アセチレンブラック及びチャンネルブラックのようなカーボンブラック（Ｃ．Ｉ．ピグメントブラック７（Ｃ．Ｉ．Ｐｉｇｍｅｎｔ  Ｂｌａｃｋ  ７））、（ｉｉ）銅及び鉄のような金属（Ｃ．Ｉ．ピグメントブラック１１（Ｃ．Ｉ．Ｐｉｇｍｅｎｔ  Ｂｌａ
ｃｋ  １１））、（ｉｉｉ）酸化チタンのような金属化合物、並びに（ｉｖ）アニリンブラック（Ｃ．Ｉ．ピグメントブラック１（Ｃ．Ｉ．Ｐｉｇｍｅｎｔ  Ｂｌａｃｋ  １））のような有機顔料を含む１種又はそれ以上の黒色顔料を含む。
【００７５】
別の態様において、顔料は黒以外の色のための１種又はそれ以上の顔料を含む。着色顔料の制限しない例は、Ｃ．Ｉ．ピグメントイエロー（Ｃ．Ｉ．Ｐｉｇｍｅｎｔ  Ｙｅｌｌｏｗ）１、３、１２、１３、１４、１７、２４、３４、３５、３７、４２（黄色酸化チタン）、５３、５５、７４、８１、８３、９５、９７、９８、１００、１０１、１０４、１０８、１０９、１１０、１１７、１２０、１２８、１３８、１５０、１５１、１５３及び１８３、Ｃ．Ｉ．ピグメントオレンジ（Ｃ．Ｉ．Ｐｉｇｍｅｎｔ  Ｏｒａｎｇｅ）５、１３、１７、３６、４３及び５１、Ｃ．Ｉ．ピグメントレッド（Ｃ．Ｉ．Ｐｉｇｍｅｎｔ  Ｒｅｄ）１、２、３、５、１７、２２、２３、３１、３８、４８：２、４８：２｛パーマネントレッド（Ｐｅｒｍａｎｅｎｔ  Ｒｅｄ）２Ｂ（Ｃａ）｝、４８：３、４８：４、４９：１、５２：２、５３：１、５７：１（ブリリアントカーミン（Ｂｒｉｌｌｉａｎｔ  Ｃａｒｍｉｎｅ）６Ｂ）、６０：１．６３：１、６３：２、６４：１、８１、８３、８８、１０１（ベンガラ）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９及び２５４、Ｃ．Ｉ．ピグメントバイオレット（Ｃ．Ｉ．Ｐｉｇｍｅｎｔ  Ｖｉｏｌｅｔ）（ローダミンレーキ）、３、５：１、１６、１９、２３及び３８、Ｃ．Ｉ．ピグメントブルー（Ｃ．Ｉ．Ｐｉｇｍｅｎｔ  Ｂｌｕｅ）１、２、１５、１５：１、１５：２、１５：３、（フタロシアニンブルー）、１５：４、１６、１７：１、５６、６０、６３、並びにＣ．Ｉ．ピグメントグリーン（Ｃ．Ｉ．Ｐｉｇｍｅｎｔ  Ｇｒｅｅｎ）１、４、７、８、１０、１７、１８及び３６を含む。
【００７６】
溶媒は水及び／又は有機溶媒を含む。制限しない有機溶媒は、キシレン、トルエン、アルコール（例えばメタノール、エタノール、ｎ−プロパノール、イソプロパノール、ｎ−ブタノール、ｓｅｃ−ブチルアルコール、ｔｅｒｔ−ブチルアルコール、イソブチルアルコール、フルフリルアルコール及びテトラヒドロフルフリルアルコール）、ケトン又はケトアルコール（例えばアセトン、メチルエチルケトン及びジアセトンアルコール）、エーテル（例えばジメチルエーテル及びメチルエチルエーテル）、環状エーテル（例えばテトラヒドロフラン及びジオキサン）、エステル（例えば酢酸エチル、乳酸エチル、炭酸エチレン及び炭酸プロピレン）、多価アルコール（例えばエチレングリコール、ジエチレングリコール、トリエチレングリコール、プロピレングリコール、テトラエチレングリコール、ポリエチレングリコール、グリセロール、２−メチル−２，４−ペンタンジオール及び１，２，６−ヘキサントリオール）、アルキレングリコールのヒドロキシ官能エーテル（例えばブチル２−ヒドロキシエチルエーテル、ヘキシル２−ヒドロキシエチルエーテル、メチル２−ヒドロキシプロピルエーテル及びフェニル２−ヒドロキシプロピルエーテル）、窒素含有環状化合物（例えばピロリドン、Ｎ−メチル−２−ピロリドン及び１，３−ジメチル−２−イミダゾリジノン）並びにイオウ含有化合物（例えばチオグリコール、ジメチルスルホキシド及びテトラメチレンスルホン）を含むが、これらに限らない。
【００７７】
一態様において、式（Ｉ）を有するエストリドは、約０．００１：５０から約１：５０まで、又は約０．０１：５０から１：２０まで、又は約０．１：５０から約１：１までのエストリド対顔料の重量比で顔料分散系中に存在する。
【００７８】
顔料分散系は１種又はそれ以上の添加物をさらに含む場合がある。１種又はそれ以上の添加物の制限しない例は、起泡剤、消泡剤、泡消し剤、ｐＨ調整剤、レオロジー改質剤、凍結融解調節剤、チキソトロープ、沈降防止剤、分散剤、湿潤剤、腐食防止剤、光安定化剤、熱安定化剤、付着促進剤、抗酸化剤、殺生物剤、均染剤、粘着防止剤、樹脂、蝋、融
合助剤、乳化剤界面活性剤、樹脂又はそれらの組合せを含む。
【００７９】
本開示の別の局面は、本明細書に開示する式（Ｉ）により表すエストリドを含む組成物を含む洗剤組成物に向く。
【００８０】
洗剤組成物の慣習的成分は、界面活性剤、漂白剤及び漂白活性化物質、酵素及び酵素安定化剤、起泡促進剤又は起泡抑制剤、錆止め（ａｎｔｉ−ｔａｒｎｉｓｈ）及び耐蝕剤、ビルダー以外のアルカリ性供給源、キレート剤、有機及び／又は無機充填剤、溶媒、ヒドロトロープ、蛍光増白剤、染料、香料、並びに修飾セルロースエーテル繊維処理剤を含むが、これらに限らない。本開示の柔軟剤又は送達増強剤は洗剤組成物又は柔軟剤の１成分であるかまたはこれらに添加する場合がある。洗剤組成物は顆粒、液体又は錠剤の形態にある場合がある。本開示の洗剤組成物は、米国特許第６，２７４，５４０号及び同第６，３０６，８１７号明細書（そっくりそのまま本明細書に引用することにより組み込む）に従って作成する場合がある。
【００８１】
一態様において、洗剤組成物は式（Ｉ）により表すエストリド、並びに表面活性剤、酵素、酵素安定化剤、ヒドロトロープ、レオロジー改質剤、再付着防止ポリマー、蛍光増白剤、保存剤、染料及び香料の最低１種を含む。
【００８２】
表面活性剤は、例えばしかし制限なく陰イオン性界面活性剤、陽イオン性界面活性剤、両親媒性界面活性剤、非イオン性界面活性剤の１種若しくはそれ以上又はそれらの組合せを含む。
【００８３】
酵素は、例えばしかし制限なくヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、還元酵素、酸化酵素、フェノール酸化酵素、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及び既知のアミラーゼ並びにそれらの組合せを含むいかなる適切な酵素でもある場合がある。他の型の酵素もまた含む場合がある。それらは植物、動物、細菌、真菌及び酵母起源のようないずれの適切な起源のものでもある場合がある。しかしながら、それらの選択はｐＨ活性及び／又は安定性の最適条件、熱安定性、活性の洗剤、ビルダーなどに対する安定性のような数個の因子により支配する。一部の態様において、酵素の組合せはアミラーゼとともにプロテアーゼ、リパーゼ、クチナーゼ及び／又はセルラーゼのような慣習的洗浄酵素のカクテルを含む。洗浄酵素は米国特許第６，５７９，８３９号明細書（そっくりそのまま本明細書に引用することによりここに組み込む）により詳細に説明する。一部の局面において、本明細書の組成物は約０．０５％から約２重量％までの洗浄酵素を含む。
【００８４】
付加的な酵素、それらの量、及び酵素安定化剤の制限しない例は、米国特許出願公開第２００８／０２３４１６５号明細書（そっくりそのまま本明細書に引用することによりここに組み込む）に詳細に論考する。
【００８５】
式（Ｉ）により表すエストリドを含む現在開示する組成物を作物油中の乳化剤として及び／又はポリウレタン製造におけるブロー剤（ｂｌｏｗ  ａｇｅｎｔ）のための乳化剤として使用する場合があることもまた予見する。
【００８６】
なおさらに別の局面において、本明細書に説明する式（Ｉ）により表すエストリド及び基油を含む組成物を含む金属成形又は切断の応用で有用な潤滑油濃縮物を提供する。潤滑油濃縮物及びそれらの成分／量は第ＵＳ  ２０１５００５１１３２号明細書（その内容はそっくりそのまま本明細書に引用することにより組み込む）に説明している。式（Ｉ）に
より表すエストリドを含む組成物が、潤滑油濃縮物を水で希釈した後に安定な乳剤の生成を可能にするための乳化剤として作用する場合があるのみならずしかし濃縮物製剤に潤滑性もまた付与する場合があることを見出したことは驚くことだ。
【００８７】
一局面において、本明細書に説明する式（Ｉ）により表すエストリドを含む組成物は、潤滑油濃縮物の総重量に基づき約１重量％ないし約９０重量％の量で潤滑油濃縮物中に存在する場合がある。別の局面において、本明細書に説明する式（Ｉ）により表すエストリドを含む組成物は、潤滑油濃縮物の総重量に基づき約２重量％ないし約５０重量％の量で潤滑油濃縮物中に存在する場合がある。さらなる一局面において、本明細書に説明する式（Ｉ）により表すエストリドを含む組成物は、潤滑油濃縮物の総重量に基づき約３重量％ないし約３０重量％の量で、若しくは約４重量％ないし約２５重量％の量で、又はなお約５重量％ないし約２０重量％の量で潤滑油濃縮物中に存在する場合がある。
【００８８】
本開示の潤滑油濃縮物は基油もまた含む。一部の局面において、基油は４０℃の温度で約１ｃＳｔから約１０００ｃＳｔまでの範囲にある動粘度を有することができる。特定の一局面において、基油は石油に基づく油、植物油、動物由来の油、合成油又はそれらの混合物である。
【００８９】
本開示で使用する場合がある石油に基づく油の例は、ナフタレン油（ｎａｐｈｔｈａｌｅｎｉｃ  ｏｉｌｓ）、パラフィン油、原油、ディーゼル油、シール油、灯油、重油、ホワイトオイル及び芳香油を含むが、これらに限らない。
【００９０】
植物油又は動物由来の油の例は、キャノーラ油、クルミ油、カシューナッツ油、オリーブ油、トウモロコシ油、ラッカセイ油、グレープシード油、オイティシア（ｏｉｔｉｃｉａ）油、ヤシ油、菜種油、魚油、魚肝油、マッコウクジラ油、オレイン酸、クマ油、鯨油及び亜麻仁油を含むが、これらに限らない。
【００９１】
合成油の例は、重合及び共重合オレフィン例えばポリブチレン、ポリプロピレン、プロピレン−イソブチレン共重合体、塩素化ポリブチレン、ポリ（１−ヘキセン）、ポリ（１−オクテン）、ポリ（１−デセン）のような炭化水素油及びハロ置換炭化水素油、ドデシルベンゼン、テトラデシルベンゼン、ジノニルベンゼン及びジ−（２−エチルヘキシル）ベンゼンのようなアルキルベンゼン、ビフェニル、テルフェニル及びアルキル化ポリフェニルのようなポリフェニル、並びにアルキル化ジフェニルエーテル及びアルキル化ジフェニルスルフィド、並びにそれらの誘導体、類似物及び相同物を含むが、これらに限らない。アルキレンオキシド重合体及び末端ヒドロキシ基がエステル化、エーテル化などにより修飾しているそれらの誘導体は別の分類の合成油を構成する。これらは、エチレンオキシド又はプロピレンオキシドの重合により製造するポリオキシアルキレン（ｐｏｌｙｏｘｙａｌｌｃｙｌｅｎｅ）重合体、メチルポリイソプロピレングリコールエーテルのようなこれらポリオキシアルキレン重合体のアルキル及びアリールエーテル、ポリエチレングリコールのジフェニル及びジエチルエーテル、並びにそれらのモノ及びポリカルボン酸エステル、例えば酢酸エステル、混合Ｃ3−Ｃ8脂肪族酸エステル、Ｃ12−Ｃ22脂肪酸エステル及びテトラエチレングリコールのＣ13オキソジエステルにより例示する。ジオクチルエーテル、ジデシルエーテル、ジ（２−エチルヘキシル）エーテルのような単純脂肪族エーテルを合成油として使用する場合がある。他の合成油はオレイン酸エチル、ヘキサン酸ラウリル及びパルミチン酸デシルのような脂肪酸のエステルを含み、並びに、ブチルアルコール、ヘキシルアルコール、ドデシルアルコール、２−エチルヘキシルアルコール、エチレングリコール、ジエチレングリコールモノエチルエーテル、プロピレングリコールのような多様なアルコールとのフタル酸、コハク酸、マレイン酸、アゼライン酸、セバシン酸、フマル酸、アジピン酸、リノール酸二量体、マロン酸、アルキルマロン酸、アルケニルマロン酸のようなジカルボン酸のエステルもまた有用である。これらエーテルの特定の例は、
アジピン酸ジブチル、セバシン酸ジ（２−エチルヘキシル）、フマル酸ジ−ｎ−ヘキシル、セバシン酸ジオクチル、アゼライン酸ジイソクチル、フタル酸ジオクチル、フタル酸ジデシル、セバシン酸ジエイコシル、リノール酸二量体の２−エチルヘキシルジエステル、並びに１モルのセバシン酸を２モルのテトラエチレングリコール及び２モルの２−エチルヘキサン酸と反応させることにより生成する複合エステル、並びにポリアルファオレフィンを含む。
【００９２】
一局面において、基油は上で説明した油の最低２種の混合物である。
【００９３】
一部の局面において、基油は潤滑油濃縮物の総重量に基づき約０．５重量％ないし約９７．５重量％の量で潤滑油濃縮物中に存在する場合がある。別の局面において、基油は潤滑油濃縮物の総重量に基づき約５重量％ないし約９５重量％の量で潤滑油濃縮物中に存在する場合がある。他の局面において、基油は潤滑油濃縮物の総重量に基づき約４０重量％以上の量で潤滑油濃縮物中に存在する。さらなる局面において、基油は潤滑油濃縮物の総重量に基づき約４０重量％未満の量で潤滑油濃縮物中に存在する。なお他の局面において、基油は潤滑油濃縮物の総重量に基づき約３０重量％ないし約８５重量％の量で潤滑油濃縮物中に存在する一方、なお他の局面において、基油は潤滑油濃縮物の総重量に基づき約５重量％ないし約３０重量％の量で潤滑油濃縮物中に存在する。
【００９４】
一部の局面において、潤滑油濃縮物は場合によっては１種又はそれ以上の添加物を含む場合がある。こうした添加物は、陰イオン界面活性剤（例えば、スルホン酸、硫酸、リン酸、カルボン酸のアルカリ、アルカリ土類又はアンモニウム塩及びそれらの混合物）のような界面活性剤、有機酸、スルホン酸、アミン、アミドのアルカリ及びアルカノールアミン塩のような腐食防止剤、並びに有機ホウ酸化合物、ｏ−フェニルフェノールのような殺生物剤、殺菌剤、殺真菌剤、殺藻剤、着色剤、香料、キレート剤、ｐＨ緩衝剤、可溶化剤、抗酸化剤、消泡剤、極圧添加剤、水及びこれらの混合物を含むが、これらに限らない。
【００９５】
潤滑油濃縮物は、本明細書に開示する式（Ｉ）により表すエストリドを含む組成物を基油及び任意の添加物と混合することにより製造する場合がある。
【００９６】
一部の局面において、潤滑油濃縮物は「現状のまま」使用する場合がある一方、他の局面において、潤滑油濃縮物は、水性媒体への添加前に水好ましくは脱イオン水又は他の水性溶液で希釈する場合がある。潤滑油濃縮物を「現状のまま」使用する局面において、基油は好ましくは植物油である。
【００９７】
水性媒体への潤滑油濃縮物の添加が安定な低起泡性水性乳剤を生じることを見出したことは驚くことだ。特定の一部の局面により、安定な低起泡性水性乳剤は、本明細書に開示する式（Ｉ）により表すエストリドを含む潤滑油濃縮物及び陰イオン性界面活性剤の水性媒体好ましくは脱イオン水への添加により得る。
【００９８】
特定の一局面により、潤滑成分は移動機械における摩擦及び摩耗を低減するため潤滑油製剤中で「現状のまま」使用する。
【００９９】
別の特定の局面により、潤滑油濃縮物は水性媒体中に分散かつ切断又は研削工程のため使用する場合がある。切断又は研削工程のための潤滑油濃縮物は、１００部分の水性媒体（例えば水又は脱イオン水）あたり約５重量部分ないし約２０重量部分の油濃縮物の濃度で水性媒体中に分散する場合があり、及び以下を含む場合がある。
【０１００】
【表１】
0006890133.tif 000004
【０１０１】
特定の一局面において、こうした切断又は研削工程での使用のための潤滑油濃縮物成分は以下を含む場合がある：
【０１０２】
【表２】
0006890133.tif 000005
【０１０３】
なお別の局面において、本開示の式（Ｉ）を有するエストリドを含む組成物は、化学的又は生物学的効果を導き出す標的基質上への散布のための農薬製剤に含む。こうした局面において、農薬製剤は、（ｉ）有害生物防除上の有効な量の有害生物防除剤又は有害生物防除剤の混合物及び（ｉｉ）本明細書に説明する式（Ｉ）を有するエストリドを含む組成物を含む。一部の局面により、式（Ｉ）を有するエストリドを含む組成物は、農薬製剤の有害生物防除上の有効性が式（Ｉ）を有するエストリドを含む組成物を含まないがしかしそれ以外は農薬製剤と同一の成分を有する参照農薬製剤と比較して高まるような濃度で農薬製剤中に存在する。「高まる」により、本開示の式（Ｉ）により表すエストリドを含む組成物が、本開示の式（Ｉ）を有するエストリドを含まない農薬製剤と比較して農薬製剤中の有効成分の性能を増大する（例えば、所定の散布量について有効成分のより高い活性、所定の影響を伴うより低い散布量、標的基質による有効成分のより良好な取り込み、及び従って出現前又は出現後処理とりわけ標的基質の噴霧処理についての利点）ことを理解するはずである。
【０１０４】
一部の局面において、農薬製剤中で有用な組成物は式（Ｉ）により表すエストリドよりなる場合がある一方、他の局面において、組成物は式（Ｉ）により表すエストリド及び補助成分を含む場合がある。
【０１０５】
補助成分の例は、溶媒、液体担体、固体担体又は増量剤、陰イオン界面活性剤（例えば、スルホン酸、硫酸、リン酸、カルボン酸のアルカリ、アルカリ土類又はアンモニウム塩及びそれらの混合物）、陰イオン性界面活性剤（例えばアルコキシレート、Ｎ−置換脂肪酸アミド、アミンオキシド、エステル、糖に基づく界面活性剤、ポリマー界面活性剤及びそれらの混合物）、陽イオン性界面活性剤（例えば１若しくは２個の疎水性基をもつ四級アンモニウム化合物又は長鎖一級アミンの塩）、分散剤、乳化剤、湿潤剤、補助物質、可溶化剤、浸透増強剤、保護コロイド、接着剤、増粘剤、保湿剤、忌避剤、誘引物質、摂食刺激物質、相溶化剤、殺菌剤、凍結防止剤、結晶化抑制剤、消泡剤、着色剤、粘着付与剤、結合剤、保存剤、ｐＨを中和するための無機又は有機酸、清澄剤、安定化剤、硫酸アンモニウム、尿素のような肥料又はリン酸、カリウム及び窒素に基づく複合肥料（例えばＰ、Ｋ、Ｎ肥料）のような複合肥料、ＵＶ安定化剤並びにこれらの混合物を含むが、これらに限らない。
【０１０６】
一部の局面により、農薬製剤中で有用な組成物は（ｉ）約０．１〜９９．９重量％の式（Ｉ）により表すエストリド及び（ｉｉ）約０．１〜９９．９重量％の補助成分を含む場合があり、ここで重量％は組成物の総重量に基づく。別の局面において、組成物は（ｉ）約０．１〜５０重量％の式（Ｉ）により表すエストリド及び（ｉｉ）約０．１〜５０重量％の補助成分を含む場合があり、ここで重量％は組成物の総重量に基づく。なおさらなる一局面において、組成物は（ｉ）０．１〜２９．９重量％の式（Ｉ）により表すエストリド及び（ｉｉ）約７０．１〜９９．９重量％の補助成分を含む場合があり、ここで重量％は組成物の総重量に基づく。
【０１０７】
上で説明するとおり、本開示の式（Ｉ）により表すエストリドを含む組成物は有害生物防除剤の生物活性を高め、従って組成物は、農薬製剤を生成するために有害生物防除剤又は有害生物防除剤の混合物と組合せ及び標的基質に散布する場合に最低６０％、６５％、７０％、７５％、８０％又はなお最低８５％、又はなお最低９０％防除を達成する組成物である。本明細書で使用する「％防除」は、有害生物を（１）死滅させること、（２）その成長、生殖又は増殖を阻害すること、並びに（３）その発生及び活動を除去、破壊又は別の方法で低下させることという作用の１種又はそれ以上を含む場合がある、標的基質の成長の制御のいずれかの観察可能な尺度を指す。防除は当該技術分野で既知の多様な方法のいずれかにより測定する場合がある。
【０１０８】
従って、別の局面において、有害生物防除剤及び本開示の式（Ｉ）により表すエストリド（並びに任意の補助成分（単数又は複数））を含む組成物を含む農薬製剤を提供する。農薬製剤は、上に開示するもののような標的基質の処理において使用する場合があり、並びに濃縮物及び噴霧製剤を含む全部の形態の組成物を指す。「噴霧製剤」は、噴霧に適切な形態で及び濃度（希釈）で標的基質又はそれらの環境に散布することが望ましい全部の成分を含む水性農薬製剤である。噴霧製剤は、所望の成分（水以外）を含む濃縮物の単純希釈により、若しくは個々の成分を混合すること、又は濃縮物を希釈すること及びさらなる個々の成分若しくは成分の混合物を添加することの組合せにより構成する場合がある。こうした最終使用目的での混合は、それから製剤を噴霧する噴霧タンク又は噴霧タンクを充填するための保持タンク中で実施するのが典型的で、こうした混合及び混合物はタンク混合及びタンク混合物と呼ばれるのが普通だ。「濃縮物」は、水性又は非水性である場合があり並びに水（又は水に基づく液体）で希釈して対応する噴霧製剤を生成するよう設計しかつ溶液、エマルジョン又は分散系のような液体の形態及び固体の形態とりわけ粒剤又は粉末のような水和性固体の形態のこうした組成物を含む農薬製剤である。「乳剤」は、典型的に穏やかな撹拌以上を伴わない水での希釈に際して容易に乳化する通常は乳化剤及び／又は界面活性剤もまた含む溶液又は分散系中に有害生物防除剤及び式（Ｉ）により表すエストリドを含む組成物を含む液体「濃縮物」である。
【０１０９】
本開示の農薬製剤に含む有害生物防除剤の量は、処理するべき標的基質、処理するべき区域などのような多数のパラメータに従って変動することができる。一般に、１ヘクタールあたり約５グラムから約４キログラムまでの有害生物防除剤の散布量（ｇ／ｈａ）が適切な場合がある。農薬製剤中の式（Ｉ）により表すエストリドを含む組成物の量は農薬製剤の総重量に基づき約０．０１〜９９重量％からである場合がある。
【０１１０】
本開示の農薬製剤は慣習的農業方法で使用する場合がある。例えば、有害生物防除剤又は有害生物防除剤の混合物及び式（Ｉ）により表すエストリドを含む組成物は、水及び／又は他の溶媒（単数若しくは複数）並びに／或いは肥料と混合し並びに航空機噴霧タンク、背負式噴霧タンク、家畜薬浴槽、地面噴霧に使用する農業設備（例えばブームスプレイヤー、手回し噴霧器）などのようないずれかの手段により所望の標的基質に発生後散布する場合がある。
【０１１１】
上で論考するとおり、一部の局面により、農薬製剤は、適する容量の水で希釈して標的基質に散布するための噴霧製剤（例えばタンク混合組成物）を生成する場合がある濃縮組成物である場合がある。濃縮組成物は液体、固体又は半固体の形態にある場合がある。最低一局面において、それは水性濃縮組成物である。
【０１１２】
特定の一局面において、濃縮組成物中の有害生物防除剤の量は、濃縮組成物の総重量に基づき約１重量％から約８０重量％まで、あるいは約１６重量％から約６０重量％まで、あるいは３５重量％から約５５重量％までである場合がある。濃縮組成物中の式（Ｉ）により表すエストリドを含む組成物の量は、濃縮組成物の総重量に基づき約０．０００１重量％から約２０重量％まで、あるいは約０．００１重量％から約１５重量％までの間、又は、あるいは約０．０１重量％から約１０重量％まで、又は、あるいは約０．１重量％から約５重量％まで、又はなおあるいは約０．５重量％から約３重量％までである場合がある。
【０１１３】
濃縮組成物は、噴霧製剤の総重量に基づき約０．０１重量％から約１５重量％まで、あるいは約０．１重量％から約５重量％まで、あるいは約０．２重量％から約２重量％までの有害生物防除剤を含む噴霧製剤を与えるために水で使用者により希釈する場合がある。噴霧製剤は、典型的に、約０．０００１重量％から約３重量％まで、あるいは約０．００１重量％から約１重量％まで、あるいは約０．０１重量％から約０．５％重量パーセントまでの本開示の式（Ｉ）により表すエストリドを含む組成物を含む場合がある。
【０１１４】
本開示の他の局面において、有害生物防除剤及び式（Ｉ）により表すエストリドを含む組成物を組合せて「すぐ使える」（ＲＴＵ）噴霧製剤を生成する。ＲＴＵ噴霧製剤は、上で説明する濃縮組成物を希釈することにより使用者により製造する場合があるか、又は、あるいは、そのまま使用者に提供する場合がある。例えば、ＲＴＵ噴霧製剤は、ＲＴＵ噴霧製剤の総重量に基づき約０．５重量％から約５重量％まで、あるいは約０．７５重量％から約３重量％まで、あるいは約１．５重量％から約２．５重量％までの有害生物防除剤を含む場合がある。ＲＴＵ噴霧製剤は、約０．０１重量％から約２．５重量％まで、あるいは約０．２重量％から約２重量％まで、あるいは約０．５重量％から約１重量％までの本開示の式（Ｉ）により表すエストリドを含む組成物を含む場合がある。ＲＴＵ組成物のバランスをとるものは水である場合がある。
【０１１５】
なおさらなる別の局面において、（ｉ）有害生物防除上の有効な量の有害生物防除剤並びに（ｉｉ）本開示の式（Ｉ）により表すエストリドを含む組成物及び任意の補助成分（単数又は複数）を含む農薬製剤を提供する段階、並びに農薬製剤と有害生物を接触させる段階を含む有害生物の死滅又は阻害又は忌避方法を提供する。
【実施例】
【０１１６】
実施例を下に提供する。しかしながら、本開示は下に本明細書に開示する特定の実験、結果及び実験室手順へのその適用に制限しないことを理解するべきである。むしろ、実施例は単に多様な態様の１個として提供し、及び例示的でありかつ網羅的でないことを意味している。
【０１１７】
改良した界面張力、起泡及び界面活性特性
ヒマシ油アルコキシレートの現在開示するエストリドの改良した特性を具体的に説明するため、３種の異なるエストリド組成物を１０モル、１５モル又は２５モルいずれかのエトキシル化を有するエトキシル化グリセリンから製造し、ヒマシ油及び１０モル、１５モル及び２５モルのエトキシル化を有するエトキシル化グリセリンの直接アルコキシル化を介して製造したアルコキシレートと比較した。
【０１１８】
アルコキシル化グリセリンのアルコキシル化のモル数（例えば１０モルのエトキシル化）は１化学量論的等量のグリセリンに添加したアルキレンオキシドの化学量論的等量の数を指すことに注目すべきである。すなわち、本明細書に開示する式（ＩＩ）について、アルコキシル化のモル数は「ｘ」、「ｙ」及び「ｚ」の合計に等しい。それは本明細書に開示する式（Ｉ）について該当する。例えば、１０モルのエトキシル化を有するエトキシル化グリセリンは、Ｒ’が水素であり並びにｘ、ｙ及びｚの合計が１０である式（ＩＩ）により表す場合がある。当業者はｘ、ｙ及びｚが必ずしも等しくなければならないことはないことを理解することができる。
【０１１９】
エストリド組成物
エストリド組成物を作成するため、１０モル、１５モル及び２５モルのエトキシル化を有する３種のエトキシル化グリセリン組成物を最初に製造した。方法を明確化するため、１０モルエトキシル化グリセリンからのエストリドの製造手順のみを下に示すことができる。当業者は、エトキシル化のモルを１５及び２５に増加するのに必要な段階を容易に認識することができる。
【０１２０】
１０モルのエトキシル化を有するエトキシル化グリセリンは、１７．２３部分（重量パーセント）のグリセリン及び０．２２部分の４５％水酸化ナトリウム（Ａｓｈｔａ  Ｃｈｅｍｉｃａｌｓ，Ｉｎｃ．（オハイオ州アシュタビューラ）から商業的に入手可能）を清浄な乾燥窒素パージした反応器中に充填することにより製造し、水が０．０５重量％又はそれ未満で存在するまで窒素ストリッピングのため１００ないし１１５℃で加熱した。容器をその後１４５℃に加熱した。その後８２．４４部分のエチレンオキシドを充填し、圧変化が３０分の期間にわたり０．５ｐｓｉｇ未満となるまで１５５ないし１６５℃及び６０ｐｓｉｇ未満で反応した。反応器をゆっくりと傾け、窒素を１２０℃で９０分間ストリッピングした。生成物のサンプルをヒドロキシル数について分析して、標的量のエトキシル化に達したかどうかを決定し、補正を必要なとおり行った。ヒドロキシル数を一旦達成すれば、反応を９５℃に冷却し、０．１部分の酢酸を漸増的に充填した。反応生成物を２０分間混合し、その後ヒマシ油でのエステル化反応で使用した。
【０１２１】
エステル化反応は、２９．５部分（重量パーセント）の上で説明した１０モルエトキシル化グリセリンを、加熱マントル、熱電対、頭上撹拌及び窒素入口を装備した丸底フラスコ中に０．６部分の４５％水酸化ナトリウムとともに添加することにより実施した。組成物をその中の水の量が０．１％未満となるまで１４０℃で加熱しつつ混合した。反応をその後１２０℃に冷却し、６８．９部分のヒマシ油（Ａｃｍｅ−Ｈａｒｄｅｓｔｙ  Ｃｏ．（ペンシルベニア州ブルーベル）から商業的に入手可能）を６０分にわたりフラスコ中にゆっくりと添加した。反応は、物質を漂白するため１部分の過酸化水素を添加する前に１５分間消化させた。
【０１２２】
比較の直接アルコキシル化組成物
１０モルのエトキシル化を有する比較の直接アルコキシル化実施例を、６７．４部分（重量％）のヒマシ油及び０．２３部分の４５％水酸化ナトリウムを清浄な乾燥した窒素パージした反応器に充填することにより製造した。物質を１２０℃ないし１２７℃の範囲に加熱し、水分含量が０．０５％未満となるまで真空下に乾燥した。ストリッピング後に温度を１３５℃ないし１４６℃に増大し、１９部分のエチレンオキシドを添加した。物質を、１ｐｓｉｇ未満の圧力低下を３０分の期間にわたり記録するまで１６０℃で消化させた。圧力低下が一旦安定化すれば物質を氷酢酸で中和した。
【０１２３】
同一手順に、１５モル及び２５モルのエトキシル化を有する比較の直接アルコキシル化実施例について従った。
【０１２４】
３回の別個の試験を実施して、直接アルコキシル化を介し製造した組成物と比較したエストリドの特性を分析した。
【０１２５】
界面張力：エストリド実施例及び比較の直接エトキシル化実施例の界面張力を、ＫＲUＳＳ  ＤＶＴ５０ドロップボリューム張力計（ドイツ、ハンブルクのＫｒuｓｓ  ＧｍｂＨ）を使用して試験してオリーブ油でのそれらの界面張力を試験した。
【０１２６】
界面張力の結果を図２に具体的に説明し、ここでより低い界面張力値が好ましい。図２に見る場合があるとおり、比較の直接エトキシル化実施例は、エストリド実施例と比較する場合に１０と２５モルの間のエトキシル化で有意により高い界面張力を有した。
【０１２７】
起泡：エストリド実施例及び比較の直接エトキシル化実施例の起泡特性を、それぞれの２００ｍＬのサンプルをＷａｒｎｉｎｇブレンダーに個別に添加すること及びその後最大速度で１０秒間混合することにより試験した。各混合したサンプルをその後別個の目盛り付きシリンダー中に注いだ。泡高さを最初に及びその後５分後にもう１回測定した。
【０１２８】
エストリド実施例及び比較の直接エトキシル化実施例の起泡特性を図３に具体的に説明し、ここでより大きい泡高さ値はより良好な起泡特性を示す。図３に見る場合があるとおり、エストリド実施例は、比較の直接エトキシル化実施例より有意により良好な泡高さを有した。
【０１２９】
界面活性：界面活性（すなわち湿潤剤の効率）を、綿かせを界面活性剤溶液エストリド又は比較の組成物を含む目盛り付きシリンダー中に落下したＡＳＴＭ  Ｄ２２８１に従ったドレーヴズ濡れ試験を使用して試験した。おもり及びかせに接続する糸が弛緩するのに必要とする時間を湿潤時間として記録する。
【０１３０】
エストリド実施例及び比較の直接エトキシル化実施例の界面活性を図４に具体的に説明し、ここでより短い濡れ時間はより良好な界面活性を示唆する。図４に見る場合があるとおり、エストリド実施例の界面活性（すなわち濡れ時間）は、１０モルと２５モルの間のエトキシル化の比較の直接エトキシル化実施例より良好であった。
【０１３１】
モルタルフロー試験
ＡＳＴＭ  Ｃ１４３７に従ったモルタルフロー試験及びＡＳＴＭ  Ｃ１４３に従ったモルタルスランプ試験もまた：ａ）４５０ｇのＬａｆａｒｇａからのＩ型ポルトランドセメント、ｂ）１３５０ｇの地域の天然シリカ供給元からのＡＳＴＭ  ｃ７７８試験砂、ｃ）５８ｍ2／ｇの測定表面積を伴うＳｉｇｍａ  Ａｌｄｒｉｃｈからのナトリウムモンモリロナイト、ｄ）ポリカルボン酸エーテル（ＰＣＥ）としてのＫａｏ  Ｃｈｅｍｉｃａｌか
らのＭＩＧＨＴＹ  ２１ＥＳ、ｅ）蒸留水、及びｆ）ヒマシ油アルコキシレートのエストリド又はヒマシ油の直接アルコキシル化により製造した比較実施例いずれかから選択する粘土緩和剤（ＣＭＡ）を含むモルタルを使用して実施した。
【０１３２】
混合物設計は、４１％水対セメント比、０．１４％ＰＣＥ対セメント比、０．０８％の粘土緩和剤対セメント比、及び０．５％粘土対砂比であるように設定した。２滴のＳＵＲＦＯＮＩＣ（登録商標）ＬＦ６８泡消し剤（Ｈｕｎｔｓｍａｎ  Ｐｅｔｒｏｃｈｅｍｉｃａｌ  ＬＬＣ、テキサス州ウッドランズから商業的に入手可能）もまた消泡剤として組成物に添加した。
【０１３３】
比較実施例は、１０モルのエトキシル化を有する比較の直接アルコキシル化実施例について上で示したとおり製造した。
【０１３４】
アルコキシル化ヒマシ油のエストリドは、１０モルエトキシル化グリセリンから製造したエストリドについて上に示したとおり製造した。
【０１３５】
以下の表（表１−３）は、１）いかなる粘土緩和剤も含まない、２）緩和剤として直接アルコキシル化により製造した上で説明した比較実施例を含む、及び３）緩和剤としてヒマシ油エトキシレートの上で説明したエストリドを含む場合の上で説明したモルタルのスランプ、流れ及び施工性を具体的に説明する。施工性値（本明細書で使用する）は「スランプ＋流れ−１００」の値である。
【０１３６】
【表３】
0006890133.tif 000006
【０１３７】
【表４】
0006890133.tif 000007
【０１３８】
【表５】
0006890133.tif 000008
【０１３９】
表１中の参照サンプルはいかなる粘土緩和剤も含まないモルタルの流れを示す。配合中の粘土の存在によりモルタルの流動性が観察の３０分以内に迅速に下落したことを見る。上で示したＣＭＡをモルタルに添加した後に流れがエストリド実施例について９分で改良し、エストリド実施例について３０及び６０分後に有意に改良し、モルタルは６０分の観察期間全体を通じて流動可能なままであった。
【０１４０】
モルタルのスランプ寿命もまた上で挙げたエストリド実施例により有意に延長した。表２に見るとおり、スランプ値はヒマシ油直接アルコキシル化実施例により改良したが、しかしエストリド実施例により時間にわたり大きく改良した。
【０１４１】
表３は全体的施工性がエストリド実施例により９分から６０分まで改良したことを示す。ヒマシ油アルコキシレートのエストリドは、粘土で汚染した砂を含むモルタル中の良好なスランプ／流動性／施工性の促進においてヒマシ油直接アルコキシル化分子よりはるかにより大きい能力を示した。
【０１４２】
顔料分散試験
顔料分散試験もまた、分散剤としてヒマシ油アルコキシレートのエストリドを使用して実施した。比較のため、以下の組成物もまた分散剤として使用した：１）ヒマシ油の直接アルコキシル化により製造したヒマシ油アルコキシレート、２）３０：７０のダイズ油対エトキシル化グリセリンの重量比のダイズ油及びエトキシル化グリセリン（１０モルのエトキシル化）のエステル交換反応により製造したダイズ油エトキシル化グリセリン、並びに３）３０：７０のダイズ油対エトキシル化グリセリンの重量比を有するダイズ油エトキシル化グリセリン（２５モルのエトキシル化）。
【０１４３】
分散剤は以下の手順を使用して製造した：
アルコキシル化ヒマシ油のエストリドは、１０モルエトキシル化グリセリンから製造したエストリドについて上に示すとおり製造した。
【０１４４】
比較実施例は、１０モルのエトキシル化を有する比較の直接アルコキシル化実施例について上に示すとおり製造した。
【０１４５】
ダイズ油アルコキシル化グリセリンサンプルは、１０モルのエトキシル化及び２５モルのエトキシル化を有するエトキシル化グリセリンを使用するアルコキシル化ヒマシ油のエストリドと全く同一に製造した。しかしながらこの方法はダイズ油アルコキシル化グリセリンのエストリドを生じなかった。
【０１４６】
加えて参照分散剤を使用した。参照分散剤は、ＢＹＫ  Ａｄｄｉｔｉｖｅｓ＆Ｉｎｓｔ
ｒｕｍｅｎｔｓ（ドイツ、ヴェセル）から入手可能な第一位の商業的顔料分散剤ＤＩＳＰＥＲＢＹＫ（登録商標）１９０分散剤であった。
【０１４７】
顔料分散系に対する分散剤の影響を試験するため、分散剤を個別に２５％顔料（Ｈｅｌｉｏｇｅｎ  Ｂｕｌｅ  Ｌ７１０１Ｆ、ＢＡＳＦから商業的に入手可能な青色顔料ＰＢ  １５：４）及びｓｐｅｅｄｍｉｘｅｒTMカップ（Ｆｌａｃｋｔｅｋ、アメリカ合衆国；サウスカロライナ州ランドラムから商業的に入手可能）中の水と組合せた。負荷を１：１０の活性分散剤対顔料質量比で制御した。
【０１４８】
混合物をその後ｓｐｅｅｄｍｉｘｅｒTM中で３０秒間前混合し、その後２ｍｍガラスビーズを用い３０００ｒｐｍで３分間粉砕した。上清着色剤を約２０ないし２５℃で一夜十分にセットし（ｓｅｔ）、ベースペイント中３重量％の負荷でベースペイント（すなわちＰＰＧオリンピックワン屋内用半光沢エナメル（ＰＰＧ  Ｏｌｙｍｐｉｃ  Ｏｎｅ  Ｉｎｔｅｒｉｏｒ  Ｓｅｍｉ−Ｇｌｏｓｓ  Ｅｎａｍｅｌ）（ベース１−３５６８２４）に色合いを付けるのに使用した。
【０１４９】
色合いを付けた組成物をその後４ｍｍのＢＹＫ−Ｇａｒｄｎｅｒドローダウンバーを用いてＢＹＫ  ＢＹＫＯコーティングチャー上に降下させた。薄膜が乾燥した後にＢＹＫ−Ｇａｒｄｎｅｒ分光計を使用してそれらの色（色合い）強度を評価した。
【０１５０】
色（色合い）強度試験の結果を表４に示す。
【０１５１】
【表６】
0006890133.tif 000009
【０１５２】
表４は、植物油アルコキシレートの化学、具体的にはヒマシ油アルコキシレートのエストリドが、水中及びベースペイント中の青色顔料ＰＢ  １５：４について許容できる流動性及び色合い付け力を可能にすることを具体的に説明する。図４に示すとおり、参照分散剤は商業的標準であり、及び色強度は本明細書に説明するヒマシ油アルコキシレートのエストリドを使用する場合に商業的標準の最低１０％以内である。
【０１５３】
上の説明から、本開示が目的を実施し及び本明細書に挙げる利点ならびに本開示に固有のものを達成するように十分に適応することが明確である。本開示の例示的態様を本開示の目的上説明した一方、本開示及び付属する請求の範囲の範囲から離れることなく達成す
る場合がある当業者にそれら自体を容易に示唆することができる多数の変更を行う場合があることを理解することができる。
【図１】
0006890133.tif 000012
【図２】
0006890133.tif 000013
【図３】
0006890133.tif 000014
【図４】
0006890133.tif 000015